(57)【要約】  ビデオインターフォンのモニタ局を通じて少なくとも１つの遠隔被制御機器を遠隔操作する方法及び装置である。機器自体は、遠隔制御デバイスにより操作可能である。モニタ局は、入力受信、中央処理部、メモリ、選択キー及び少なくとも１つの出力を含む。遠隔制御デバイスを使用して、入力受信への符号化信号を生成し、入力受信は受信符号化信号をフィルタリングし、符号化信号の完全なエンベロープを中央処理部に供給する。中央処理部は、エンベロープを処理し、エンベロープに関係する計数データを生成し、計数データを指標を付け、メモリに蓄積する。１つの選択キーを指標付けに基づく計数データの呼び出し及び出力への供給に割当てる。出力は機器を操作する符号化信号を生成する。
2010502112.tif 000002
【特許請求の範囲】
【請求項１】
無線受信機、有線受信機及びそれらの組合せから成るグループから選択された少なくとも１つの受信入力、中央処理部、メモリ、選択キー及び少なくとも１つの出力を含むモニタ局であって、ビデオインターフォン、ショッピング端末及びそれらの組合せから成るグループから選択された少なくとも１局の前記モニタ局を通じて、少なくとも１台の遠隔被制御機器を遠隔操作する方法であって、前記遠隔被制御機器は、無線、有線及びそれらの組合せから成るグループから選択された少なくとも１つの遠隔制御デバイスを含み、本方法は、
前記遠隔制御デバイスを操作し、前記受信入力に対する少なくとも１つの符号化信号を生成するステップと、
前記符号化信号の完全なエンベロープを前記中央処理部に供給するために、前記符号化信号を受信してフィルタリングするステップと、
前記エンベロープに関する計数データを生成し、前記計数データを指標付けて前記メモリに蓄積するために、立上がり及び立下がり時間の検出、アップダウン計数、計数、リセット、時間継続の検出、パルス幅の検出、インターバル状態の定義、パルス状態の定義及びそれらの組合せから成るグループから選択された処理を通じて前記エンベロープを処理するステップと、
前記指標付けに基づいて、前記計数データを呼び出して前記出力に供給するために前記選択キーの少なくとも１つのキーを割当てるステップと、
前記機器を操作するために、前記出力を通じて前記符号化信号を再生するステップと
を含むことを特徴とする方法。
【請求項２】
少なくとも１台の遠隔被制御機器を遠隔操作する方法であって、前記少なくとも１つの出力は、リレー接点、オープンコレクタ、電気スイッチ、直列符号バッファ、並列符号バッファ、ＲＦ送信機、ＩＲ送信機及びそれらの組合せから成るグループから選択されたドライバ出力回路であることを特徴とする請求項１に記載の方法。
【請求項３】
少なくとも１台の遠隔被制御機器を遠隔操作する方法であって、前記少なくとも１つの出力を前記機器に接続して同時に動作し、前記機器は、アラーム、緊急照明、テレビジョン、オーディオビデオ装置、オーディオビジュアル録音、ホームシアタ、ラジオ、背景音楽、エレベータ、カーテン、日よけ、施錠、台所、洗濯場、庭園、空調、空気汚染制御デバイス、暖房デバイス、冷房デバイス及びそれらの組合せから成る前記グループから選択されることを特徴とする請求項１に記載の方法。
【請求項４】
少なくとも１台の遠隔被制御機器を遠隔操作する方法であって、前記ドライバ出力回路を前記機器に接続して同時に動作し、前記機器は、アラーム、緊急照明、テレビジョン、オーディオビデオ装置、オーディオビジュアル録音、ホームシアタ、ラジオ、背景音楽、エレベータ、カーテン、日よけ、施錠、台所、洗濯場、庭園、空調、空気汚染制御デバイス、暖房デバイス、冷房デバイス及びそれらの組合せから成るグループから選択されることを特徴とする請求項２に記載の方法。
【請求項５】
少なくとも１台の遠隔被制御機器を遠隔操作する方法であって、前記遠隔制御デバイスは、連続する符号化信号を生成するキーを含み、本方法は、
前記遠隔制御デバイスの前記符号化信号を順序通りに受信して処理するステップと、
未知の前記符号化信号の前記エンベロープを前記順序通りに前記中央処理部に供給するステップと、
前記エンベロープを前記順序通りに処理するステップと、
前記順序に関する前記データ及び前記エンベロープに関する前記計数データを指標付けて前記メモリに蓄積するステップと、
前記順序に関する前記データ及び前記エンベロープに関する前記計数データを呼び出して前記出力に供給するために、前記選択キーの少なくとも１つのキーを割当てるステップと、
前記出力を通じて前記機器を操作する前記符号化信号の前記順序を再生するステップと
をさらに含むことを特徴とする請求項１に記載の方法。
【請求項６】
少なくとも１台の遠隔被制御機器を遠隔操作する方法であって、前記順序は、前記符号化信号を反復生成する順序を含むことを特徴とする請求項５に記載の方法。
【請求項７】
少なくとも１台の遠隔被制御機器を遠隔操作する方法であって、前記選択キーは、前記ビデオインターフォン又は前記ショッピング端末のディスプレイモニタと関連するタッチキーであることを特徴とする請求項１に記載の方法。
【請求項８】
少なくとも１台の遠隔被制御機器を遠隔操作する方法であって、前記選択キーは、前記ビデオインターフォン又は前記ショッピング端末のディスプレイモニタと関連するタッチキーであることを特徴とする請求項５に記載の方法。
【請求項９】
少なくとも１台の遠隔被制御機器を遠隔操作する方法であって、前記無線受信機は、受信ＲＦ周波数を検出する走査回路を含むＲＦ受信機であることを特徴とする請求項１に記載の方法。
【請求項１０】
少なくとも１台の遠隔被制御機器を遠隔操作する方法であって、前記出力は、ＲＦ送信機であり、前記ＲＦ送信機の前記周波数は、前記走査回路によって制御され、前記受信ＲＦ検出周波数を整合することを特徴とする請求項９に記載の方法。
【請求項１１】
少なくとも１台の遠隔被制御機器を遠隔操作する方法であって、リレー接点、オープンコレクタ及び電気スイッチから成るグループから選択された前記ドライバの出力回路は、前記機器に直接接続することを特徴とする請求項２に記載の方法。
【請求項１２】
少なくとも１台の遠隔被制御機器を遠隔操作する方法であって、直列符号バッファ、並列符号バッファ、ＲＦ送信機及びＩＲ送信機から成る前記グループから選択された前記ドライバの出力は、その信号を、リレー接点中継局への直列符号、ＲＦ送信機中継局への直列符号、ＩＲ送信機中継局への直列符号、リレー接点中継局への並列符号、ＲＦ送信機中継局への並列符号、ＩＲ送信機中継局への並列符号、リレー接点中継局へのＲＦ受信機、ＲＦ送信機中継局へのＲＦ受信機、ＩＲ送信機中継局へのＲＦ受信機、リレー接点中継局へのＩＲ受信機、ＩＲ送信機中継局へのＩＲ受信機、ＲＦ送信機中継局へのＩＲ受信機及びそれらの組合せから成るグループから選択された中継局に供給することを特徴とする請求項２に記載の方法。
【請求項１３】
少なくとも１台の遠隔被制御機器を遠隔操作する方法であって、前記計数データは、前記エンベロープの各々の下位の継続時間、前記エンベロープの各々の高位の継続時間、前記エンベロープの全ての下位の継続時間、前記エンベロープの全ての高位の継続時間、前記全エンベロープの継続時間、前記エンベロープの前記全ての下位及び前記全ての高位の和、前記エンベロープの極性、時間継続に基づく下位状態パルス、時間継続に基づく高位状態パルス、時間継続に基づく各々の中位状態パルス、前記下位状態パルスの総数、前記高位状態パルスの総数、各々の前記中位状態パルスの総数、全ての前記下位状態及び前記高位状態パルスの前記順序、前記全ての下位状態、高位状態及び各々の中位状態パルスの前記順序及びそれらの組合せから成るグループから選択されることを特徴とする請求項１に記載の方法。
【請求項１４】
ビデオインターフォン、ショッピング端末及びそれらの組合せから成るグループから選択された少なくとも１局のモニタ局を通じて少なくとも１台の遠隔被制御機器を遠隔操作する装置であって、前記遠隔被制御機器は、無線、有線及びそれらの組合せから成るグループから選択された少なくとも１つの遠隔制御デバイスを含み、本装置は、
ＲＦ受信機、ＩＲ受信機、データ受信機及びそれらの組合せ、中央処理部、メモリ、選択キー及び少なくとも１つの出力から成るグループから選択された少なくとも１つの受信入力を含み、
前記遠隔制御デバイスを使用して、前記受信機への少なくとも１つの符号化信号を生成し、
前記受信入力が受信した前記符号化信号をフィルタリングし、前記符号化信号の完全なエンベロープを前記中央処理部へ供給し、
前記中央処理部が、立上がり及び立下がり時間の検出、アップダウン計数、計数、リセット、時間継続の検出、パルス幅の検出、インターバルの状態定義、パルス状態の定義及びそれらの組合せから成るグループから選択された処理により前記エンベロープを処理し、前記エンベロープに関する計数データを生成し、前記計数データを指標付けて前記メモリに蓄積し、
前記選択キーの少なくとも１つのキーを、前記指標付けに基づいて、前記計数データを呼び出して前記出力に供給するために割当て、
前記出力が前記符号化信号を再生し、前記機器を操作することを特徴とする装置。
【請求項１５】
少なくとも１台の遠隔被制御機器を遠隔操作する装置であって、前記少なくとも１つの出力は、リレー接点、オープンコレクタ、電気スイッチ、直列符号バッファ、並列符号バッファ、ＲＦ送信機、ＩＲ送信機及びそれらの組合せから成るグループから選択されたドライバの出力回路であることを特徴とする請求項１４に記載の装置。
【請求項１６】
少なくとも１台の遠隔被制御機器を遠隔操作する装置であって、前記少なくとも１つの出力を前記機器に接続して同時に動作し、前記機器は、アラーム、緊急、照明、テレビジョン、オーディオビデオ、Ａ／Ｖ録音、ホームシアタ、ラジオ、背景音楽、エレベータ、カーテン、日よけ、施錠、台所、洗濯場、庭園、空調、空気汚染、暖房、冷房及びそれらの組合せから成るグループから選択されることを特徴とする請求項１４に記載の装置。
【請求項１７】
少なくとも１台の遠隔被制御機器を遠隔操作する装置であって、前記ドライバの出力回路を前記機器に接続して同時に動作し、前記機器は、前記ドライバの出力回路は、アラーム、緊急、照明、テレビジョン、オーディオビデオ、Ａ／Ｖ録音、ホームシアタ、ラジオ、背景音楽、エレベータ、カーテン、日よけ、施錠、台所、洗濯場、庭園、空調、空気汚染、暖房、冷房及びそれらの組合せから成るグループから選択されることを特徴とする請求項１５に記載の装置。
【請求項１８】
少なくとも１台の遠隔被制御機器を遠隔操作する装置であって、前記遠隔制御デバイスは前記符号化信号の順序を生成するキーを含み、前記中央処理部は前記符号化信号の順序を処理するようにプログラムされ、前記順序に関する前記データ及び前記エンベロープに関する前記計数データを指標付けて前記メモリに蓄積することを含み、
前記選択キーの少なくとも１つのキーは、前記順序に関する前記データ及び前記エンベロープに関する前記計数データの呼び出しに割当てられ、前記出力を通じて前記符号化信号の前記順序を再生し、前記機器を操作することを特徴とする請求項１４に記載の装置。
【請求項１９】
少なくとも１台の遠隔被制御機器を遠隔操作する装置であって、前記順序は、前記符号化信号を反復生成する順序を含むことを特徴とする請求項１８に記載の装置。
【請求項２０】
少なくとも１台の遠隔被制御機器を遠隔操作する装置であって、前記選択キーは、前記ビデオインターフォン又は前記ショッピング端末の表示モニタと関連するタッチキーであることを特徴とする請求項１４に記載の装置。
【請求項２１】
少なくとも１台の遠隔被制御機器を遠隔操作する装置であって、前記選択キーは、前記ビデオインターフォン又は前記ショッピング端末の表示モニタと関連するタッチキーであることを特徴とする請求項１８に記載の装置。
【請求項２２】
少なくとも１台の遠隔被制御機器を遠隔操作する装置であって、前記ＲＦ受信機は、受信ＲＦ周波数を検出する走査回路を含むことを特徴とする請求項１４に記載の装置。
【請求項２３】
少なくとも１台の遠隔被制御機器を遠隔操作する装置であって、前記出力は、ＲＦ送信機であり、前記ＲＦ送信機の前記周波数を前記走査回路により制御し、前記受信したＲＦの検出周波数を整合することを特徴とする請求項２２に記載の装置。
【請求項２４】
少なくとも１台の遠隔被制御機器を遠隔操作する装置であって、リレー接点、オープンコレクタ及び電気スイッチから成るグループから選択された前記ドライバの出力回路は、前記機器に直接接続されることを特徴とする請求項１５に記載の装置。
【請求項２５】
少なくとも１台の遠隔被制御機器を遠隔操作する装置であって、直列符号バッファ、並列符号バッファ、ＲＦ送信機、ＩＲ送信機から成る前記グループから選択された前記ドライバ出力は、その信号を、リレー接点中継局への直列符号、ＲＦ送信機中継局への直列符号、ＩＲ送信機中継局への直列符号、リレー接点中継局への並列符号、ＲＦ送信機中継局への並列符号、ＩＲ送信機中継局への並列符号、リレー接点中継局へのＲＦ受信機、ＲＦ送信機中継局へのＲＦ受信機、ＩＲ送信機中継局へのＲＦ受信機、リレー接点中継局へのＩＲ受信機、ＩＲ送信機中継局へのＩＲ受信機、ＲＦ送信機中継局へのＩＲ受信機及びそれらの組合せから成るグループから選択された中継局に供給することを特徴とする請求項１５に記載の装置。
【請求項２６】
少なくとも１台の遠隔被制御機器を遠隔操作する装置であって、前記計数データは、前記エンベロープの各々の下位の継続時間、前記エンベロープの各々の高位の継続時間、前記エンベロープの全ての下位の継続時間、前記エンベロープの全ての高位の継続時間、全ての前記エンベロープの継続時間、前記エンベロープの前記全ての下位及び前記全ての高位の和、前記エンベロープの極性、時間継続に基づく下位状態パルス、時間継続に基づく高位状態パルス、時間継続に基づく各々の中位状態パルス、前記下位状態パルスの総数、前記高位状態パルスの総数、各々の前記中位状態パルスの総数、全ての前記下位状態及び前記上位状態パルスの順序、全ての前記下位状態、前記高位状態及び各々の前記中位状態パルスの前記順序及びそれらの組合せから成るグループから選択されることを特徴とする請求項１４に記載の装置。
【請求項２７】
少なくとも１台の遠隔被制御機器を遠隔操作する方法であって、本方法は、
少なくとも１台の受信機、中央処理部、メモリ、選択キー及び少なくとも１つの出力を含むモニタ局を備えるステップと、
少なくとも１つの遠隔制御デバイスを有する機器を備えるステップと、
前記遠隔制御デバイスを操作し、少なくとも１つの符号化信号を生成するステップと、
前記符号化信号を前記受信機に入力するステップと、
前記符号化信号を受信してフィルタリングするステップと、
前記符号化信号の完全なエンベロープを前記中央処理部に供給するステップと、
前記エンベロープを処理するステップと、
前記エンベロープに関する計数データを生成するステップと、
前記計数データを指標付けて前記メモリに蓄積するステップと、
前記指標付けに基づいて、前記計数データを呼び出して前記出力に供給する前記選択キーの少なくとも１つのキーを割当てるステップと、
前記出力を通じて前記符号化信号を再生し、前記機器を操作するステップと
を含むことを特徴とする方法。
【請求項２８】
少なくとも１台の遠隔被制御機器を遠隔操作する方法であって、前記モニタ局は、ビデオインターフォン、ショッピング端末及びそれらの組合せから成るグループから選択されることを特徴とする請求項２７に記載の方法。
【請求項２９】
少なくとも１台の遠隔被制御機器を遠隔操作する方法であって、前記少なくとも１つの出力は、リレー接点、オープンコレクタ、電気スイッチ、直列符号バッファ、並列符号バッファ、ＲＦ送信機、ＩＲ送信機及びそれらの組合せから成るグループから選択されたドライバ出力回路であることを特徴とする請求項２７に記載の方法。
【請求項３０】
少なくとも１台の遠隔被制御機器を遠隔操作する方法であって、前記処理するステップは、立上がり及び立下がり時間の検出、アップダウン計数、計数、リセット、時間継続の検出、パルス幅の検出、インターバル状態の定義、パルス状態の定義及びそれらの組合せから成るグループから選択された処理を実行することを特徴とする請求項２７に記載の方法。
【請求項３１】
少なくとも１台の遠隔被制御機器を遠隔操作する方法であって、前記少なくとも１つの出力を、前記機器に接続して同時に動作し、前記機器は、アラーム、緊急照明、テレビジョン、オーディオビデオ装置、オーディオビジュアル録音、ホームシアタ、ラジオ、背景音楽、エレベータ、カーテン、日よけ、施錠、台所、洗濯場、庭園、空調、空気汚染制御デバイス、暖房デバイス、冷房デバイス及びそれらの組合せから成るグループから選択されることを特徴とする請求項１に記載の方法。
【請求項３２】
少なくとも１台の遠隔被制御機器を遠隔操作する方法であって、前記ドライバ出力回路を、前記機器に接続して同時に動作し、前記機器は、アラーム、緊急照明、テレビジョン、オーディオビデオ装置、オーディオビジュアル録音、ホームシアタ、ラジオ、背景音楽、エレベータ、カーテン、日よけ、施錠、台所、洗濯場、庭園、空調、空気汚染制御デバイス、暖房デバイス、冷房デバイス及びそれらの組合せから成るグループから選択されることを特徴とする請求項２９に記載の方法。
【請求項３３】
少なくとも１台の遠隔被制御機器を遠隔操作する方法であって、前記遠隔制御デバイスは、符号化信号の順序を生成するキーを含み、本方法は、
前記遠隔制御デバイスの前記符号化信号を順序通りに受信して処理するステップと、
未知の前記符号化信号の前記エンベロープを前記順序通りに前記中央処理部に供給するステップと、
前記エンベロープを前記順序通りに処理するステップと、
前記順序に関する前記データ及び前記エンベロープに関する前記計数データを指標付けて前記メモリに蓄積するステップと、
前記順序に関する前記データ及び前記エンベロープに関する前記計数データを呼び出して前記出力に供給する前記選択キーの少なくとも１つのキーを割当てるステップと、
前記出力を通じて、前記機器を操作する前記符号化信号の前記順序を再生するステップと
をさらに含むことを特徴とする請求項２７に記載の方法。
【請求項３４】
少なくとも１台の遠隔被制御機器を遠隔操作する方法であって、前記順序は、前記符号化信号を反復生成する順序を含むことを特徴とする請求項３３に記載の方法。
【請求項３５】
少なくとも１台の遠隔被制御機器を遠隔操作する方法であって、前記選択キーは、ビデオインターフォン又は前記ショッピング端末のディスプレイモニタと関連するタッチキーであることを特徴とする請求項２７に記載の方法。
【請求項３６】
少なくとも１台の遠隔被制御機器を遠隔操作する方法であって、前記選択キーは、ビデオインターフォン又は前記ショッピング端末のディスプレイモニタと関連するタッチキーであることを特徴とする請求項３３に記載の方法。
【請求項３７】
少なくとも１台の遠隔被制御機器を遠隔操作する方法であって、前記無線受信機は、受信ＲＦ周波数を検出する走査回路を含むＲＦ受信機であることを特徴とする請求項２７に記載の方法。
【請求項３８】
少なくとも１台の遠隔被制御機器を遠隔操作する方法であって、前記出力は、ＲＦ送信機であり、前記ＲＦ送信機の前記周波数を前記走査回路により制御し、前記受信したＲＦの検出周波数を整合することを特徴とする請求項３７に記載の方法。
【請求項３９】
少なくとも１台の遠隔被制御機器を遠隔操作する方法であって、リレー接点、オープンコレクタ及び電気スイッチから成るグループから選択された前記ドライバの出力回路は、前記機器に直接接続されることを特徴とする請求項２７に記載の方法。
【請求項４０】
少なくとも１台の遠隔被制御機器を遠隔操作する方法であって、前記ドライバ出力は、直列符号バッファ、並列符号バッファ、ＲＦ送信機及びＩＲ送信機から成る前記グループから選択されることを特徴とする請求項２９に記載の方法。
【請求項４１】
少なくとも１台の遠隔被制御機器を遠隔から操作する方法であって、前記ドライバは、前記ドライバ信号を、リレー接点中継局への直列符号、ＲＦ送信機中継局への直列符号、ＩＲ送信機中継局への直列符号、リレー接点中継局への並列符号、ＲＦ送信機中継局への並列符号、ＩＲ送信機中継局への並列符号、リレー接点中継局へのＲＦ受信機、ＲＦ送信機中継局へのＲＦ受信機、ＩＲ送信機中継局へのＲＦ受信機、リレー接点中継局へのＩＲ受信機、ＩＲ送信機中継局へのＩＲ受信機、ＲＦ送信機中継局へのＩＲ受信機及び以上の組合せから成るグループから選択された中継局に供給することを特徴とする請求項４０に記載の方法。
【請求項４２】
少なくとも１台の遠隔被制御機器を遠隔から操作する方法であって、前記計数データは、前記エンベロープの各々の下位の継続時間、前記エンベロープの各々の高位の継続時間、前記エンベロープの全ての下位の継続時間、前記エンベロープの全ての高位の継続時間、全ての前記エンベロープの継続時間、前記エンベロープの前記全ての下位及び前記全ての高位の和、前記エンベロープの極性、時間継続に基づく下位状態パルス、時間継続に基づく高位状態パルス、時間継続に基づく各々の中位状態パルス、前記下位状態パルスの総数、前記高位状態パルスの総数、各々の前記中位状態パルスの総数、全ての前記下位状態及び前記上位状態パルスの順序、全ての前記下位状態、前記高位状態及び各々の前記中位状態パルスの順序及びそれらの組合せから成るグループから選択されることを特徴とする請求項２７に記載の方法。
【請求項４３】
少なくとも１台の遠隔被制御機器を遠隔操作する装置であって、本装置は、
前記遠隔被制御機器と関連し、少なくとも１つの符号化信号を生成する遠隔制御デバイスと、
少なくとも１台の受信機、中央処理部、メモリ、選択キー及び少なくとも１つの出力を含むモニタ局と、
前記遠隔制御デバイスからの符号化信号をフィルタリングし、前記符号化信号の完全なエンベロープを前記中央処理部に供給する前記受信機と、
前記エンベロープを処理し、前記エンベロープに関する計数データを生成する前記中央処理部と、
前記計数データを蓄積して指標付ける前記メモリと
を含み、
前記指標付けに基づいて、前記選択キーの少なくとも１つのキーを、前記計数データを呼び出して前記出力に供給するために割当て、
前記出力が前記符号化信号を再生し、前記遠隔被制御機器を操作することを特徴とする装置。
【請求項４４】
少なくとも１台の遠隔被制御機器を遠隔操作する装置であって、前記少なくとも１つの出力は、リレー接点、オープンコレクタ、電気スイッチ、直列符号バッファ、並列符号バッファ、ＲＦ送信機、ＩＲ送信機及びそれらの組合せから成るグループから選択されるドライバの出力回路であることを特徴とする請求項４３に記載の装置。
【請求項４５】
少なくとも１台の遠隔被制御機器を遠隔操作する装置であって、前記少なくとも１つの出力を、前記機器に接続して同時に動作し、前記機器は、アラーム、緊急照明、テレビジョン、オーディオビデオ装置、及びオーディオビジュアル録音、ホームシアタ、ラジオ、背景音楽、エレベータ、カーテン、日よけ、施錠、台所、洗濯場、庭園、空調、空気汚染制御デバイス、暖房デバイス、冷房デバイス及びそれらの組合せから成るグループから選択されることを特徴とする請求項４３に記載の装置。
【請求項４６】
少なくとも１台の遠隔被制御機器を遠隔操作する装置であって、前記ドライバの出力回路を、前記機器に接続して同時に動作し、前記機器は、アラーム、緊急照明、テレビジョン、オーディオビデオ装置、オーディオビジュアル録音、ホームシアタ、ラジオ、背景音楽、エレベータ、カーテン、日よけ、施錠、台所、洗濯場、庭園、空調、空気汚染制御デバイス、暖房デバイス、冷房デバイス及びそれらの組合せから成るグループから選択されることを特徴とする請求項４４に記載の装置。
【請求項４７】
少なくとも１台の遠隔被制御機器を遠隔操作する装置であって、前記遠隔制御デバイスは、前記符号化信号の順序を生成するキーを含み、前記中央処理部は前記符号化信号の順序を処理するようにプログラムされ、前記順序に関する前記データ及び前記エンベロープに関する前記計数データを指標付けて前記メモリに蓄積することを含み、
前記選択キーの少なくとも１つのキーを、前記順序に関する前記データ及び前記エンベロープに関する前記計数データの呼び出しに割当て、前記出力を通じて前記符号化信号の前記順序を再生し、前記機器を操作することを特徴とする請求項４３に記載の装置。
【請求項４８】
少なくとも１台の遠隔被制御機器を遠隔操作する装置であって、前記順序は、前記符号化信号を反復生成する順序を含むことを特徴とする請求項４７に記載の装置。
【請求項４９】
少なくとも１台の遠隔被制御機器を遠隔操作する装置であって、前記選択キーは、ビデオインターフォン又は前記ショッピング端末のディスプレイモニタと関連するタッチキーであることを特徴とする請求項４３に記載の装置。
【請求項５０】
少なくとも１台の遠隔被制御機器を遠隔操作する装置であって、前記選択キーは、ビデオインターフォン又は前記ショッピング端末のディスプレイモニタと関連するタッチキーであることを特徴とする請求項４７に記載の装置。
【請求項５１】
少なくとも１台の遠隔被制御機器を遠隔操作する装置であって、前記ＲＦ受信機は、前記受信ＲＦ周波数を検出する走査回路を含むことを特徴とする請求項４３に記載の装置。
【請求項５２】
少なくとも１台の遠隔被制御機器を遠隔操作する装置であって、前記出力は、ＲＦ送信機であり、前記ＲＦ送信機の前記周波数を前記走査回路により制御し、前記受信したＲＦの検出周波数を整合することを特徴とする請求項５１に記載の装置。
【請求項５３】
少なくとも１台の遠隔被制御機器を遠隔操作する装置であって、前記機器に直接接続されたリレー接点、オープンコレクタ及び電気スイッチから成るグループから選択された前記ドライバ出力回路は、前記機器に直接接続されることを特徴とする請求項４４に記載の装置。
【請求項５４】
少なくとも１台の遠隔被制御機器を遠隔操作する装置であって、前記ドライバ出力は、直列符号バッファ、並列符号バッファ、ＲＦ送信機及びＩＲ送信機から成る前記グループから選択されることを特徴とする請求項４４に記載の方法。
【請求項５５】
少なくとも１台の遠隔被制御機器を遠隔操作する装置であって、前記計数データは、前記エンベロープの各々の下位の継続時間、前記エンベロープの各々の高位の継続時間、前記エンベロープの全ての下位の継続時間、前記エンベロープの全ての高位の継続時間、全ての前記エンベロープの継続時間、前記エンベロープの前記全ての下位及び前記全ての高位の和、前記エンベロープの極性、時間継続に基づく下位状態パルス、時間継続に基づく高位状態パルス、時間継続に基づく各々の中位状態パルス、前記下位状態パルスの総数、前記高位状態パルスの総数、各々の前記中位状態パルスの総数、全ての前記下位状態及び前記上位状態パルスの順序、全ての前記下位状態、前記高位状態及び各々の前記中位状態パルスの順序及びそれらの組合せから成るグループから選択されることを特徴とする請求項４３に記載の装置。
【請求項５６】
少なくとも１台の遠隔被制御機器を遠隔操作する装置であって、前記モニタ局は、ビデオインターフォン、ショッピング端末及びそれらの組合せから成る前記グループから選択されることを特徴とする請求項４３に記載の装置。
【請求項５７】
少なくとも１台の遠隔被制御機器を遠隔操作する方法であって、前記受信機は、ＲＦ受信機、ＩＲ受信機、データ受信機及びそれらの組合せから成る前記グループから選択されることを特徴とする請求項４３に記載の装置。
【請求項５８】
少なくとも１台の遠隔被制御機器を遠隔操作する装置であって、前記中央処理部は、立上がり及び立下がり時間の検出、アップダウン計数、計数、リセット、時間の継続の検出、パルス幅の検出、合間状態の定義、パルス状態の定義及びそれらの組合せから成る前記グループより選択された処理を引受けることを特徴とする請求項４３に記載の装置。
【請求項５９】
少なくとも１台の遠隔被制御機器を遠隔操作する装置であって、前記ドライバ出力は、その信号を、リレー接点中継局への直列符号、ＲＦ送信機中継局への直列符号、ＩＲ送信機中継局への直列符号、リレー接点中継局への並列符号、ＲＦ送信機中継局への並列符号、ＩＲ送信機中継局への並列符号、リレー接点中継局へのＲＦ受信機、ＲＦ送信機中継局へのＲＦ受信機、ＩＲ送信機中継局へのＲＦ受信機、リレー接点中継局へのＩＲ受信機、ＩＲ送信機中継局へのＩＲ受信機、ＲＦ送信機中継局へのＩＲ受信機及びそれらの組合せから成るグループから選択された中継局に供給することを特徴とする請求項５４に記載の装置。
【発明の詳細な説明】
【技術分野】
【０００１】
本発明は、電気デバイス及び機器の遠隔操作に使用するＩＲ及びＲＦを含むビデオインターフォンシステム及び有線又は無線制御に関する。
【背景技術】
【０００２】
家庭及びアパートメントにおけるテレビジョン受信機、ＤＶＤ又はＶＣＲレコーダ、オーディオプレーヤ、空調器、モータ付きカーテン、照明及びその他の電気機器などの電気機器を遠隔操作する赤外線（ＩＲ、ＩｎｆｒａＲｅｄ）又はＲＦ送信機を含む有線又は無線遠隔制御デバイスは、特定の製造会社によって製造された特定機器のみを用いて操作するように構成される直列の又はその他の符号化を使用する。問題は、所与の機器の各製造会社がランダムに選択する周波数、帯域幅、クロック、信号レベル、信号極性、変調、プロトコル及び符号化技術を用いる機器の遠隔制御のために独自技術を使用し、その技術の全てが異なる製造会社による機器の遠隔制御を両立できないことである。これは、異なる製造会社によって製作される機器及び／又はシステムが混在する遠隔制御パネルの使用を阻む。その結果、特定機器に周知のＩＲ又はＲＦ遠隔制御信号を使用するパネルを含む制御パネルが同じ家屋又はアパートメントに設置される他の機器と共に使用することができなくなる。この状態は、同一制御パネルから種々の機器を制御する概念であるホームオートメーションの進歩を妨げる。現在のホームオートメーションシステムは、それ故に、種々の器具のホームオートメーション制御システムへの統合のために制御パネルのインタフェース、中継ボックス及び広範な再プログラムを必須とするが、これは複雑で、時間を要し、高価である。未知の遠隔制御信号を利用してビデオインターフォンシステムにより遠隔制御キーを統合するような方法及び装置は、２００４年１２月２８日出願の特許文献１にも開示されている。
【先行技術文献】
【特許文献】
【０００３】
【特許文献１】米国特許出願第１１／０２４，２３３号明細書
【特許文献２】米国特許出願第１０／８６４，３１１号明細書
【特許文献３】国際出願ＰＣＴ／ＵＳ０５／１９５６４号パンフレット
【特許文献４】米国特許第５，９２３，３６３号明細書
【特許文献５】米国特許第６，６０３，８４２号明細書
【特許文献６】米国特許第６，９４０，９５７号明細書
【発明の概要】
【０００４】
本発明の目的は、種々の機器の遠隔制御デバイスによって生成されるオリジナルの制御符号及び信号を記録し、記録された符号及び信号をビデオインターフォン及び「ショッピング端末」の制御パネルに統合し、無線ドライバ、ＲＦドライバ、ＩＲドライバ、ブルートゥースドライバ、データドライバ、ハードワイアードドライバ、中継ドライバ及びそれらの組合せから成るグループから選択された少なくとも１つのドライバを含むドライバ回路を介して制御パネルから種々の機器への制御符号及び信号を生成し、ホームシアタ、テレビジョン受信機、Ａ／Ｖ機器、オーディオ及びビデオプレーヤ並びにレコーダ、ＢＧＭ（ｂａｃｋ  ｇｒｏｕｎｄ  ｍｕｓｉｃ、背景音楽）、ラジオ、刻時ラジオ、空調器、暖房器、照明デバイス、照明コントローラ、照明スイッチ、電気日よけ及びカーテン、エレベータ、台所機器、浴室機器、庭園機器及びそれらの組合せから成るグループから選択された機器を含む電気機器を操作する方法及び装置を提供することである。ホームショッピング端末により簡単化電子商取引によるショッピングを行う方法及び装置のための「ショッピング端末」は、２００４年６月８日出願の特許文献２及び２００５年６月３日出願の特許文献３に開示されている。ビデオインターフォンシステムは、特許文献４、特許文献５及び特許文献６に開示されている。
【０００５】
本発明の別の目的は、直列符号化信号、並列符号化信号、データ信号、ハードワイヤ接続信号、アラーム信号、ホームセンサ信号及びそれらの組合せから成るグループから選択された未知の符号化信号を記録、利用し、前記ドライバにより前記符号化信号を再生し、前記電気機器を操作する方法及び装置を提供することである。
【０００６】
未知の遠隔制御信号を利用する装置及び本発明のその他の目的は、米国内における無免許周波数のＦＣＣの認可などの関係当局が認可する１つ又は複数の特定又は広帯域周波数を受信する１つ又は複数のＲＦ受信機の使用により達成される。無免許周波数は、遠隔制御デバイス又はアラームデバイスに使用する周知の周波数であり、３０８．８２５ＭＨｚ、３１５ＭＨｚ、４１８ＭＨｚ、４３３ＭＨｚ、９１４ＭＨｚ及び９１６．５ＭＨｚの特定周波数として又は３０８乃至３１５ＭＨｚ帯、４１５乃至４３５ＭＨｚ帯及び９１３乃至９１８ＭＨｚ帯として特定されている。
【０００７】
３００ＭＨｚ乃至９５０ＭＨｚの全範囲をカバーする単独広帯域受信機を使用することは可能であるが、実際には任意の遠隔制御デバイスによって生成されるＲＦ信号を受信する少なくとも２台の個別受信機を使用し、１台の受信機が３００乃至４５０ＭＨｚ帯をカバーし、第２の受信機が９００乃至９３０ＭＨｚ帯をカバーするのが好ましい。非常に低いＲＦ電力送信をＦＣＣが許可するので、３台の送信機、３０８乃至３１５ＭＨｚ帯に１台、４１５乃至４３５ＭＨｚ帯に第２の受信機及び９１３乃至９１８ＭＨｚ帯をカバーする第３の受信機を使用するのが好ましい。特定周波数にさらに多くの帯域又は特定の正確な受信機が必要であれば、任意の数の適合する受信機を追加して使用することができる。
【０００８】
ＲＦ遠隔制御デバイスによって生成された信号の周波数を検出すること、及び受信信号の検出周波数と同等の周波数に受信機の発振器周波数をロックすることにより、３００ＭＨｚ乃至９５０ＭＨｚの全範囲をカバーするＣＰＵによって制御された掃引周波数受信機を備えることも可能である。後に説明するように、このような装置によって、ＣＰＵはＲＦドライバ周波数を制御し、選択機器へのＲＦ遠隔制御信号を再生することもできる。
【０００９】
各受信機は、受信アンテナ及び受信信号を復調する復調器を含む。各復調器は、ＯＯＫ変調として既知のオンオフキーイング、ＡＳＫ又はＡＭ変調として既知の振幅シフトキーイング及びＦＳＫ又はＦＭ変調として既知の周波数シフトキーイングを復調するように設計された周知の回路を含む。
【００１０】
周知の復調器回路は、周知の単独パッケージ受信機ＩＣに組み込まれた復調器とすることができ、これは市場において低価格で入手可能であるか、又はトランジスタ、ダイオード、フィルタ、コイル及びその他の周知の部品など標準の周知の回路部品により作成され、ＯＯＫ、ＡＳＫ、ＡＭ、ＦＳＫ又はＦＭ変調信号に適応し、これらの変調信号を復調するように設計されることができる。
【００１１】
従って、未知の遠隔制御信号を利用する本方法の第１のステップは、前記少なくとも１台の受信機により前記未知の遠隔制御信号を受信することと、ＯＯＫ、ＡＳＫ、ＡＭ、ＦＳＫ又はＦＭ変調により構成されるグループから選択された変調に基づく受信信号を復調することである。
【００１２】
本発明の未知の遠隔制御信号を利用する方法及び装置は、ＲＦ遠隔制御信号への適合と同様に、ＩＲ遠隔制御信号に適合する。この目的のために、復調器及び処理回路と共にＩＲフィルタ、レンズ及び光感応ダイオードを含む少なくとも１台のＩＲ受信機は、未知の遠隔制御信号を利用する装置に組み込まれる。受信ＩＲ信号を復調、処理する復調器は、前記ＲＦ復調器及びプロセッサに類似している。このようなＩＲ受信機に共通に使用される復調器回路がＯＯＫタイプであるのは、共通に使用するＩＲ遠隔制御デバイスがオンオフキーイングに基づいて動作するが、ＡＭ及びＦＳＫ変調を含むあらゆるその他のＩＲ変調及び復調回路を使用することができるからである。
【００１３】
遠隔制御デバイスのためのＩＲ生成信号の波長は、８５０ｎｍ乃至９５０ｎｍの範囲に亘り、５００ＫＨｚまでのクロック周波数を使用する一部の遠隔制御デバイスによる３８．５ＫＨｚのクロック周波数を大抵の場合使用する。８５０ｎｍ乃至９５０ｎｍ及びそれ以上の広いＩＲ範囲をカバーする単独ＩＲ受信機を使用して、ＯＯＫ変調遠隔制御信号を受信及び復調することができる。実際、ＩＲ受信機は、単独で低価格のパッケージで入手することができ、これは受信及び復調回路を含む。
【００１４】
復調信号は、遠隔制御パネル又はデバイスによって生成されるオリジナルの符号化送信の低周波数エンベロープである。エンベロープ信号は、ＬＰＦとして既知のローパスフィルタにより復調器から出力され、ローパスフィルタは低エンベロープ周波数の通過を許容し、出力信号からの高周波数キャリヤ及び／又は高周波数ノイズを阻止する。これにより、復調出力又はエンベロープ信号を所与の遠隔制御デバイスが生成するＲＦ又はＩＲキーなどの完全なオリジナルの符号エンベロープに再生し、オリジナルの符号エンベロープは大抵の場合、プロトコルとしても周知の直列デジタル符号より構成される。
【００１５】
復調エンベロープ信号は、デジタル信号増幅器などの周知のデジタル回路によりさらに処理され、信号を過大信号に増幅し、周知のクリッパ回路及びクランプ回路により信号をその規定レベルにクリップし、エンベロープの低位又は高位を選択参考値にクランプし、それにより端部がより鋭く、ノイズがなく、正しいレベルを有する完全なエンベロープ信号を供給することができる。さらに、エンベロープ信号は、周知のインバータ回路により反転し、種々の遠隔制御デバイスのエンベロープ信号の極性を統一することができる。
【００１６】
復調、処理されたエンベロープ信号は、カウンタのゲート入力及びＣＰＵ入力に供給される。多くの種々の周知のカウンタ及び計数法は、本発明の未知の遠隔制御信号及び市場において低価格で入手可能な周知のマイクロプロセッサなどの多くの現在周知のＣＰＵを利用するために使用されることができ、計数及びタイミング回路を組込み、それによりエンベロープ信号を直接ＣＰＵに接続するために供給し、不要、不使用の個別回路としてカウンタを備える。これは本発明の好ましい実施形態である。しかしながら、明確化のために、カウンタを、以下、個別回路として説明する。
【００１７】
カウンタに、ＣＰＵを介して例えば５０ＭＨｚの高周波数クロックを供給し、これによりエンベロープの計数中の単独パルス幅及び／又は立下がり若しくは立上がり時間の計数エラーは、０．０２μ秒即ち２０ｎ秒の継続時間単位に減少し、これは、１０Ｈｚ乃至５００ＫＨｚまでに亘る未知の遠隔制御信号の低周波数にとって取るに足りない時間単位である。
【００１８】
カウンタは、個別の事前設定出力を有するアップダウンカウンタであり、エンベロープ信号によりゲートされ、パルスの立上がりがカウンタをゼロにリセットして加算計数を開始する一方で、パルスの立下がりもカウンタをゼロにリセットして減算計数を開始する。カウンタは、ＣＰＵに高位のエンベロープの継続時間中の正計数を、低位のエンベロープの継続時間中の負計数を出力する。入力エンベロープも直接的に読み出すＣＰＵは、それ故に、エンベロープが表すように未知の符号化信号に関するエンベロープ信号の各個別高位及び低位の継続時間、高位及び低位数、総低位、総高位、全長及び総和を記録することができる。５０ＫＨｚクロックの例を考察すると、計数精度は、±２０ｎ秒の時間単位であろう。
【００１９】
従って、未知の符号化信号を記録、利用する本方法の第２のステップは、復調信号のエンベロープをＣＰＵカウンタに供給し、各高位及び各低位状態の継続時間、各高位及び各低位の順序、高位及び低位総数、総低位継続時間及び総高位継続時間、総和、エンベロープ（時間の）総長、エンベロープ極性及びそれらの組合せから成るグループから選択された前記未知のエンベロープのコンテンツを計数することである。
【００２０】
未知の遠隔制御信号の前記未知のエンベロープの計数値は、計数の詳細をメモリに蓄積することにより記録され、前記未知の符号化エンベロープの記録を利用して前記遠隔制御信号の詳細記録に基づき前記機器及び／又はシステムにアクセスし、制御する。記録は、各遠隔制御デバイスの詳細、その種々のキー及び機能並びに各個別制御符号を呼び出し、制御信号を再生し、前記機器を操作する指標又はプロトコルと共に家屋又はアパートメントにおける機器及びその位置に関するその他の詳細をリストアップするなどの詳細も含む。
【００２１】
未知の遠隔制御信号を利用する本方法の第３のステップは、それ故に、前記エンベロープの計数値をメモリに蓄積して指標付けることである。
【００２２】
ＲＦ又はＩＲ遠隔制御デバイスが生成する未知のエンベロープ信号を計数し、蓄積して指標付けるステップは、エレベータで使用するカード又は近接リーダなどの未知のリーダ出力信号、又は直接供給する直列又は並列符号信号にも適合し、その全てを処理し、受信ＲＦ又はＩＲ信号エンベロープについて説明したのと同じようにそれらのエンベロープを計数し、蓄積して指標付けることができる。
【００２３】
磁気カード又はバーコードカードなどのデバイスを含む遠隔制御デバイスは、その対応するリーダを介して各々完全な全符号を送信又は生成するように構成される。一部のタイプの遠隔制御デバイスは、直列符号化信号の送信を繰り返すように構成され、他は各キータッチ当りに一度、完全な直列符号を送信する。しかしながら、全ての遠隔制御デバイスは、完全な符号化信号を送信し、完全な符号化信号は共通にパイロットビット、同期ビット及び／又は開始ビットで始まり、終了ビットで終わる。
【００２４】
遠隔制御デバイス及び／又は磁気、近接及びその他のキー又はカードのために共通に使用する受信機、リーダ及びプロセッサが構成され、事前構成符号、パルスタイミング、パルス継続時間及び正確な開始ビット、アドレスデータ、命令データ及びその他の専用構成プログラムに正確に整合する入力符号化信号のみを読取り、受容し、専用事前構成及び事前プログラムに整合するもののみが機器及び／又はシステムにアクセスすることができることを確実にする。
【００２５】
対照的に、本発明は、デバイスの符号エンベロープの詳細を記録することにより、磁気カード、バーコード、近接キー及びその他のアクセスデバイスなどのデバイスを含む任意のそのような遠隔制御デバイスの使用を提供し、符号エンベロープの詳細は、パイロット、同期、開始ビット及び終了ビットなどのパルス項目を含む遠隔制御デバイスの完全な未知の符号化信号を非常に正確に表し、符号エンベロープの詳細の全ては、前記メモリに蓄積して指標付けする未知の記録信号内の先頭パルス及び終了パルスになる。
【００２６】
それ故に、本発明の計数処理のために、計数処理を開始するパイロットビット、同期ビット又は開始ビットに特定の要件はなく、カウンタのゲート入力に、カウンタに供給するエンベロープ信号の立上がり又は立下がりを供給すると、カウンタはその計数を開始する。計数の終了及び／又は受信信号の計数処理の完了するために、高位又は低位状態が「ｎ」ミリ秒より長い継続時間に亘り滞留すると、カウンタは、自体をリセットし、計数を停止するようにプログラムされる。
【００２７】
カウンタのリセットは、システムＣＰＵをその受信状態にリセットし、新規の送信信号の受信を可能にすることも備える。例えば未知の符号信号の最低速度が１ｋビット／秒であり、エンベロープ信号の各低位及び／又は高位状態の幅が実際に１ミリ秒の継続時間を超えることがありえない場合、「ｎ」継続時間を構成することは簡単であり、それ故に、例えば１０ミリ秒又は１００ミリ秒より長い「ｎ」継続時間は、誤差の無い送信終了として安全に構成されることができる。
【００２８】
従って、未知の符号化信号を記録、利用する本方法の次のステップは、それ故に、エンベロープ信号の低位又は高位状態のいずれかの継続時間が、プログラムされた「ｎ」継続時間より長い場合に、カウンタ及びＣＰＵをその「受信準備済」状態へリセットすることである。
【００２９】
ＣＰＵが連続符号の記録を行い、プログラムパスワードをキー入力する複数の英数字キーを備える遠隔制御デバイスを使用することができることが好ましい。未知の符号化信号の複数キー入力の制限は、それ故に、キー入力間の時間の空きであろうが、この空きは前記「ｎ」時間の継続より長くなければならない。「ｎ」時間の継続は、１０ミリ秒と１００ミリ秒との間など数分の１秒とすることができるため、このような短時間の継続は実際、前記キー及びＣＰＵによる前記遠隔制御デバイスのパスワードの記録を介したパスワードの複数キー入力の妨げにならない。
【００３０】
例としてエレベータを呼び出すパスワードのキー入力順序、３−１−４−２などの連続する４ディジットのエンベロープ計数値を個々に順次メモリに記録し、ホームオートメーション機能を操作しながら、ＣＰＵは、４つの個別エンベロープを記録順に、及び後に説明するように、プログラム通りに処理するようにプログラムされる。
【００３１】
本発明の方法及び装置は、家屋又はアパートメント若しくは機器の近くのどこにでも設置することができるバッファ回路又はモジュールの接続を提供し、ＩＲ、ＲＦ、ブルートゥース、有線データ、有線中継接続及びそれらの組合せを生成し、前記メモリに蓄積した記録及び指標付けた命令に基づいて、ビデオインターフォン及び／又はショッピング端末パネル又はデバイスから符号化信号を生成することにより、電気機器を遠隔操作することができ、命令は自動又は手動で稼動するようにプログラムされ、前記ＣＰＵにより処理されることができる。ビデオインターフォン及び／又はショッピング端末モニタは、種々の機器の種々の制御手段を表示することができ、タッチキーを介して各機能を独立に呼び出す、又は朝にプログラムされて選択された家庭機器機能のための「日中事前設定」若しくは夕方にプログラムされて選択された家庭機器機能のための夕方の事前設定などの複数のプログラム事前設定機能を呼び出す。
【００３２】
本発明の前述の及びその他の目的並びに特徴は、添付図面を参照する本発明の好ましい実施形態に関する以下の説明から明確になるであろう。
【図面の簡単な説明】
【００３３】
【図１】本発明の未知符号化信号を記録及び利用する装置の電気的ブロック図である。
【図２Ａ】本発明の装置により使用する典型的なデジタル及びデータ信号処理、成形、変換及び計数の電気的ブロック図である。
【図２Ｂ】本発明の装置により使用する典型的なデジタル及びデータ信号処理、成形、変換及び計数の電気的ブロック図である。
【図２Ｃ】本発明の装置により使用する典型的なデジタル及びデータ信号処理、成形、変換及び計数の電気的ブロック図である。
【図２Ｄ】本発明の装置により使用する典型的なデジタル及びデータ信号処理、成形、変換及び計数の電気的ブロック図である。
【図３】本発明の未知の符号化信号を記録及び利用する装置の好ましい実施形態に関する電気的ブロック図である。
【図４Ａ】周知のＲＦ遠隔制御デバイスにより処理及び送信された波形図である。
【図４Ｂ】周知のＲＦ遠隔制御デバイスにより処理及び送信された波形図である。
【図４Ｃ】周知のＲＦ遠隔制御デバイスにより処理及び送信された波形図である。
【図５Ａ】アクセス制御デバイス及びＩＲ遠隔制御デバイスにより処理、使用及び送信された周知の波形図である。
【図５Ｂ】アクセス制御デバイス及びＩＲ遠隔制御デバイスにより処理、使用及び送信された周知の波形図である。
【図５Ｃ】アクセス制御デバイス及びＩＲ遠隔制御デバイスにより処理、使用及び送信された周知の波形図である。
【図６Ａ】復調エンベロープ信号及び復調エンベロープによりゲートされたクロックの計数誤差に関する立上がり及び立下がり時間誤差を示す波形図である。
【図６Ｂ】復調エンベロープ信号及び復調エンベロープによりゲートされたクロックの計数誤差に関する立上がり及び立下がり時間誤差を示す波形図である。
【図６Ｃ】図５Ｂの計数波形に関するタイミング図である。
【図７】情報伝送線によりテレビジョンインターフォンモニタに給電し、再充電可能なバッテリを含む好ましい実施形態のテレビジョンインターフォンモニタに関するブロック図である。
【図８】好ましい実施形態のショッピング端末に関するブロック図である。
【図９Ａ】ＲＦ制御信号を伝達する本発明の好ましい実施形態の無線中継局に関するブロック図である。
【図９Ｂ】ＩＲ制御信号を伝達する本発明の好ましい実施形態の無線中継局に関するブロック図である。
【図９Ｃ】ＲＦ制御信号をＩＲ制御信号に変換する本発明の好ましい実施形態の無線中継局に関するブロック図である。
【図９Ｄ】ＩＲ制御信号をＲＦ制御信号に変換する本発明の好ましい実施形態の無線中継局に関するブロック図である。
【図１０】タッチスクリーン操作を伴う好ましい実施形態のテレビジョンインターフォンモニタ又はショッピング端末に関する説明図である。
【発明を実施するための形態】
【００３４】
図１にＲＦ遠隔制御１１、ＩＲ遠隔制御１３、直列又は並列データのアクセスリーダ１４Ｒ及び入力１５などの遠隔制御デバイスの未知の信号を記録及び利用する装置１を示す。装置１は、１１Ｒ及び１２Ｒのように図１に示すｎ個の数のＲＦ受信機を含み、前記受信機の各々は、受信アンテナ１１Ａ及び１２Ａ並びに復調器回路１１Ｄ及び１２Ｄに各々接続される。復調器出力の各々は、カウンタ１１Ｃ及び１２Ｃ並びにＣＰＵ１８の各入力１及び２に供給される。ＣＰＵ１８を、そのＩ／Ｏ２及びＩ／Ｏ３端子を通じてメモリ１７及び１７Ｓに接続し、前記遠隔制御デバイス及び前記アクセスリーダ１４Ｒが生成する未知の信号の計数データ並びに前記入力１５を通じて前記データを記録し、同様に機器、遠隔制御デバイス、システム操作及びそのパラメータに関する情報も記録する。
【００３５】
ＣＰＵ１８は、制御回路１６にさらに接続され、制御回路１６はＣＰＵ１８の内部回路であるが、図１に個別回路及び制御キー１６として示す。制御キー１６を使用して未知の符号化信号の記録を処理し、遠隔制御デバイス及び各遠隔被制御機器、機器の操作に必要なその位置及び機能並びにあらゆるその他の詳細に関するデータを入力する。キー１６を使用して図７に示すビデオインターフォンシステムなどの所与のシステム、図８に示すショッピング端末又はホーム制御システム（図示せず）に接続することができる装置１の機能を設定することもできる。制御キー１６は、ＰＣに使用するような周知のＡＳＣＩＩキーボードとすることができ、又は装置１の一組のプッシュ、タッチ、タッチスクリーン又はその他のキーとすることができる。
【００３６】
ＣＰＵ１８を、１９Ｒ、１９ＲＦ、１９Ｄ及び１９Ｎとして示す「ｎ」個のドライバにさらに接続し、ＣＰＵの端末出力１乃至ｎを通じて供給するドライバ出力を提供する。ドライバ出力１９ｒ、１９ａ、１９ｄ及び１９ｎは、無線、ＩＲ又はリレー出力とすることができ、その代替として、又はアラーム若しくは緊急デバイス及びシステムを供給するか又は供給を解除する及び／又は照明システムをオン又はオフにスイッチするか、若しくはＡ／Ｖ及び類似機器を操作するバッファ増幅器とすることができる。
【００３７】
復調器１１Ｄ及び１２Ｄの出力の各々は、ＣＰＵ１８の出力端子６からカウンタ１１Ｃ及び１２Ｃのクロック入力に供給するクロックを計数する各カウンタ１１Ｃ及び１２Ｃのゲート入力に個別に接続される。
【００３８】
カウンタ１１Ｃ及び１２Ｃは、個別の事前設定出力を有するアップダウンカウンタであり、復調器１１Ｄ及び１２Ｄから供給されたエンベロープ信号によりゲートされる。アップダウン計数は、ゲート信号の立上がり及び立下がり時間により設定され、パルスの立上がりはカウンタをゼロにリセットし、加算計数を開始する一方、パルスの立下がりはカウンタをゼロにリセットして減算計数を開始する。
【００３９】
受信機１１Ｒ及び１２Ｒは、ＵＨＦ帯の周知の受信機であり、単独チップＩＣにおいて低価格で広く入手可能であり、個別復調器及びＬＰＦ回路として図１に示す復調器回路１１Ｄ及び１２Ｄを含む。受信機ＲＸ１  １１Ｒ及びＲＸｎ  １２Ｒは、ＵＨＦ帯の許容スペクトラム内の任意の数の特定周波数及び／又は周波数帯をカバーするｎ個の受信機である。遠隔制御デバイス及び短距離データ通信に使用する周波数は、米国では無免許周波数として既知であり、ＦＣＣが認可し、３０８．８２５ＭＨｚ、３１５ＭＨｚ、４１８ＭＨｚ、４３３ＭＨｚ、９１４ＭＨｚ及び９１６．５ＭＨｚの特定周波数として又は３０８乃至３１５ＭＨｚ帯、４１５乃至４３５ＭＨｚ帯及び９１３乃至９１８ＭＨｚ帯として特定される。これらの周波数は自由に利用可能であるが、ＦＣＣは非常に厳しい制限を付け、送信電力を最大マイクロワット及びミリワットレベルに抑制する。これは、狭帯域幅に同調し、信号対ノイズ比を改善する非常に感度の高い受信機を必須とする。２．４ＧＨｚ及び同範囲のギガへルツ域の他の無線周波数又はＰＣ、ブルートゥース又はＷｉ−Ｆｉの無線キーボード等により使用されるような任意の他の周波数を代わりに使用することができる。
【００４０】
３００ＭＨｚ乃至９５０ＭＨｚの範囲の全ＵＨＦスペクトラム又はあらゆる他のスペクトラムの範囲をカバーする単独の広帯域受信機を使用することが可能であるが、そのような広帯域受信機は、遠隔制御デバイスが生成する非常に弱い信号に対して良好な信号対ノイズ比を有することができない。
【００４１】
それ故に、より良好な受信を得て、受信機の信号対ノイズ比に関する改善を行うために、米国では一方が３００ＭＨｚ乃至４５０ＭＨｚ帯をカバーし、他方が９００ＭＨｚ乃至９３０ＭＨｚ帯をカバーする少なくとも２台の受信機を使用することが妥当である。好ましい構成は、３０８ＭＨｚ乃至３１５ＭＨｚに第１の受信機、４１５ＭＨｚ乃至４３５ＭＨｚに第２の受信機及び９１３ＭＨｚ乃至９１８ＭＨｚに第３の受信機の３台の受信機であろう。そのような狭帯域は、高感度及び低ノイズ受信をもたらすことができ、非常に低価格のそのような単独のチップ受信機ＩＣにより、各特定周波数に１台など、３台又はそれ以上の受信機を含むことは、コストパフォーマンス上非常に効率的である。
【００４２】
全ＵＨＦスペクトラム、特に３０８ＭＨｚ乃至３１５ＭＨｚ、４１５ＭＨｚ乃至４３５ＭＨｚ及び９１３ＭＨｚ乃至９１８ＭＨｚの３つの無免許周波数範囲をカバーする広帯域受信機を使用する別の方法は、可変及び／又はステップ発信器回路とＣＰＵ１８又は１８Ａに組み込まれたアナログ−デジタル変換器のような回路を含む回路を測定する信号レベルとを組み込み、送信ＲＦ信号レベル及びカウンタを測定し、送信周波数を測定する周波数走査受信機を備えることである。そのような走査受信機を用いて、無線遠隔制御デバイス１１の遠隔制御キー１１Ｋを通じて遠隔制御命令を生成することにより、自動又は手動で走査回路を稼動することが可能である。走査は、３つの独立ステップで行い、３０８ＭＨｚ乃至３１５ＭＨｚ、４１５ＭＨｚ乃至４３５ＭＨｚ及び９１３ＭＨｚ乃至９１８ＭＨｚの３つの周波数範囲をカバーすることもできる。
【００４３】
ＲＸ１  １１Ｒが、ＣＰＵ１８のＩ／Ｏ４ポートを通じて走査制御線を提供され、レベル参考信号及び周波数読出し値をＣＰＵ１８のＩ／Ｏ５ポートにフィードバックすることを図１に示す。この走査受信機により、任意の無免許周波数を動作可能な信号対ノイズ比でカバーする１台の受信機を得ることが可能である。さらに未知の遠隔制御デバイス信号の記録は、受信機又はそのアンテナに１０ｃｍ（４インチ）又はさらにより短い距離などの近い距離に位置する遠隔制御デバイスにより実行できるので、広帯域受信機又は走査受信機は、未知の無線符号化信号の受信、処理及び記録に対する非常に実用的な解決策である。
【００４４】
走査周波数受信機の別の利点は、周波数読出し値を使用してＲＦドライバ１９ＲＦが再生する無線命令の周波数を制御することである。可変周波数送信機を使用して、ＲＦドライバ１９ＲＦに、各個別無線遠隔制御デバイス１１からＲＸ１受信機１１Ｒが受信した周波数と同一の各個別機器の異なる周波数を送信するように命令することができる。
【００４５】
図示された受信機ＲＸ１  １１Ｒ及びＲＸｎ  １２Ｒの各々は、個別アンテナ１１Ａ及び１２Ａに各々接続し、アンテナ長は共通して波長の１／４又は１／８に等しいので、受信機及びアンテナは文字通り取るに足らない製作経費で装置１のプリント回路ボードに設計する線路又はループとすることができる。
【００４６】
個別回路として図１に示す復調器１１Ｄ及び１２Ｄは、ＯＯＫ変調として既知のオンオフキーイング、ＡＳＫ又はＡＭ変調として既知の振幅シフトキーイング及びＦＳＫ又はＦＭ変調として既知の周波数シフトキーイングを復調するように設計された周知の回路を含む。
【００４７】
図４Ａにオンオフキーイングとして既知の典型的なＯＯＫ変調波形を示す。キャリヤ信号４０は、高位状態の狭いパルス及び低位状態の広いパルスを含むデータビットパルス４２により、オン及びオフにキー操作されるが、パルス幅を逆にすることができる。狭い及び広いパルスは、波形４２に示すように、１クロック幅が高位であり、２クロック幅が低位であるような整数のクロックパルス４１に基づいて生成される。データビットパルスは、波形４３に示す符号化ＲＦ信号を送信するキャリヤ４０をオン及びオフにキー操作を行う。
【００４８】
図４Ｂは、周波数シフトキーイングとして既知の典型的なＦＳＫ又はＦＭ変調波形を示す。キャリヤ信号４４の周波数を波形４７に示す高位状態のＲＦ送信周波数として示す。波形４６に示すデータは、広く既知のデジタルデータの高位−低位レベルデータである。ここでまた、データはクロック４５と同期し、キャリヤを同期してキー操作し、周波数を低位状態にシフトする。キャリヤ周波数の高位及び低位状態は、波形４７に示すように高位の高周波数及び低位の低周波数とすることができるが、周波数を逆にすることができる。ＦＭとＦＳＫ変調との間の相違は、シフトする周波数の範囲であり、ＦＭは周波数変更を可変にするために提供され、ＦＳＫは２つの周波数に亘る切り替えに限られる。
【００４９】
図４Ｃは、振幅シフトキーイングとして既知の典型的なＡＳＫ及びＡＭ変調波形を示す。図４Ｃのキャリヤは波形４４に示す同じキャリヤであり、データ波形４８は波形４６に示す同じデータである。波形４９に示すＲＦ送信は典型的な周知の二重側波帯振幅変調であり、実際にはＡＳＫは周知の単側波帯振幅変調を使用する。ここでまた、ＡＳＫとＡＭ変調との間の相違は、振幅変調の可変レベル及びＡＳＫ変調の固定の２つのレベルである。また、高位ビットデータ４８は高位キャリヤレベル４９を示し、低位ビットデータ４８を低位レベルキャリヤ４９として送信するが、これもまた逆にすることができる。
【００５０】
波形４６及び４８の低位及び高位パルス継続時間を高位及び低位データに対する同じ時間継続により示すが、ＦＳＫ、ＦＭ、ＡＳＫ及びＡＭ変調に共通に使用するパルス継続時間即ちパルス幅は、４２に示すデータビットである。
【００５１】
図１の遠隔制御デバイス１１に使用する図４Ａ、図４Ｂ及び図４Ｃに示すような波形を生成するＲＦ送信機は、低価格の単独パッケージＩＣにおいて広く入手可能であるか、又はトランジスタ、ダイオード、フィルタ、コイル及びその他の既知の電気部品など標準で周知の回路部品により作成される。
【００５２】
同様に、ＲＸ１  １１Ｒ及びＲＸｎ  １２Ｒとして図３に示す周知の単独パッケージ受信機ＩＣは、図１の復調器回路１１Ｄ及び１２Ｄを含み、市場において低価格で入手可能である。また、１１Ｄ及び１２Ｄなどの復調器は、トランジスタ、ダイオード、フィルタ、コイル及びその他の既知の電気部品など標準で周知の回路部品により作成され、ＯＯＫ、ＡＳＫ、ＡＭ、ＦＳＫ又はＦＭ変調信号に適応し、これらの信号を復調するように設計されることができる。
【００５３】
遠隔制御デバイス１１は、プッシュ又はタッチキー１１Ｋにより稼動し、直列符号化ＲＦ変調信号を送信する。ＲＦ信号を変調するか、又は信号を符号化する直列符号は、低周波数信号であり、１ｋビット／秒までの範囲のボー速度を有する。共通に使用する遠隔制御デバイス１１は、キー１１Ｋの各タッチ当りに少なくとも一度、全符号を送信することとし、送信されたＲＦ信号を受信機１１Ｒ又は１２Ｒにより、そのアンテナ１１Ａ又は１２Ａを通じて受信する。受信機の出力信号を、復調器１１Ｄ又は１２Ｄに各々供給し、信号を復調してフィルタリングする。
【００５４】
フィルタリングされた復調信号は、遠隔制御デバイス１１が生成するオリジナルの符号化送信の低周波エンベロープである。エンベロープ信号は、図２Ｃに示すＬＰＦとして知られる周知のローパスフィルタ２７Ｂを通じて復調器から出力され、ローパスフィルタは低周波数のエンベロープの通過を許容し、出力信号の高周波キャリヤ及び／又は高周波ノイズを阻止し、これによりフィルタリングされた復調出力又はエンベロープ信号を所与の遠隔制御デバイス１１が生成する完全なオリジナルの符号のエンベロープに再生する。
【００５５】
フィルタリングされたエンベロープ信号を、図２Ｃに示すデジタル信号増幅器２７Ｃなどの周知のデジタル回路によりさらに処理し、信号を過大信号に増幅し、周知のクリッパ回路及びクランプ回路２７Ｆにより信号をその規定レベルにクリップし、エンベロープ低位又は高位を、例えば図２Ｃに示す電位差計２７Ｄ及び／又は２７Ｅを通じて選択する選択参考値にクランプし、それにより端部がより鋭く、ノイズがなく、規定のクランプをしたレベルを有する完全なエンベロープ信号２０Ｆを提供することができる。さらにエンベロープ信号は、図２Ａに示すインバートゲート２４などの周知のインバータ回路により反転し、異なる遠隔制御デバイス１１のエンベロープ信号の極性を統一することができるが、そのような統一された極性は、本発明の未知の符号化信号の記録及び利用には必要でない。
【００５６】
フィルタリングされたエンベロープの個別のパルスの各々の立上がり及び立下がり時間にタイミング誤差があるのは、図６Ａに示す信号処理遅延のためである。エンベロープ信号６１の立上がり及び立下がりタイミングは、受信ＲＦ信号６１の立上がり及び立下がり時間に対するＲＴ１及びＦＴ１の時間遅延を示すが、時間誤差は反復するものであり、後に説明するように、誤差は反復するので、この時間誤差は本発明の未知の符号化信号の記録及び利用に誤差を生じない。
【００５７】
エンベロープ信号２０Ｄ又は２０Ｆを、図２Ｄに示すカウンタ１１Ｃ又は１２Ｃのゲート入力２９Ｂ及びＣＰＵ１８の入力１Ａ又は２Ａに供給する。多くの異なる周知のカウンタ及び計数法を使用して未知の符号化信号を記録及び利用することができ、さらに市場において低価格で入手可能な多くの現在周知のＣＰＵは計数及びタイミング回路を組み込み、それによりエンベロープ信号の直接ＣＰＵへの接続及び供給を提供し、カウンタ１１Ｃ及び１２Ｃを個別回路として不要、不使用にし、これは図３に示すように本発明の好ましい実施形態である。しかしながら、明確化のために、カウンタを、以下、個別回路として説明する。
【００５８】
カウンタの計数入力２９Ｃに、ＣＰＵ出力６端子から出力される高周波クロック、例えば１００ＭＨｚを供給し、これにより未知の符号化エンベロープの単独パルス幅及び／又はエンベロープ計数中の立下がり又は立上がり時間の計数誤差は、０．０１μ秒即ち１０ｎ秒単位に減少し、これは２００Ｈｚから５０ＫＨｚまでに亘ることができる未知の符号化信号の低周波数にとって取るに足らない時間単位である。
【００５９】
図６Ａに、カウンタ１１Ｃ又は１２Ｃをゲートしてクロック６４を計数するフィルタリングされたデータエンベロープ６３を示す。図６Ａに示すように、非同期エンベロープ６３とクロック信号６４との間の立上がり及び立下がりタイミング誤差は、ＲＴ２及びＦＴ２であるが、タイミング誤差は、例えば１００ＭＨｚのクロック周波数の例えば１０ｎ秒の経過時間を越えることはありえないので、このような１０ｎ秒より短いタイミング誤差は、計数処理の精度及び前記遠隔制御デバイスが生成する未知の符号化信号の利用上の影響にとって全く取るに足らない。
【００６０】
図６Ｂに示すバーコード６５のエンベロープ６６の一部６０を拡大して立上がり及び立下がり時間に関連する計数誤差の詳細を示す。一部６０の拡大波形であるエンベロープ６７は、カウンタ１１Ｃ、１２Ｃ、１３Ｃ、１４Ｃ及び１５Ｃに対するゲート信号である。クロック６８は、図２Ｄのカウンタ刻時入力に供給するクロックであり、これはゲート信号６７と非同期である。それ故に、信号６７及び信号６８の立上がり及び立下がり時間はランダムな時間である。
【００６１】
この非同期状態の結果を波形６９に示し、６０Ａ及び６０Ｂは、信号６７と６８との間で正しく時間が一致する立上がり及び立下がり時間であり、一方で、立上がり時間６０Ｃ及び立下がり時間６０Ｄは、２つの信号間の時間一致の誤差である。
【００６２】
波形６９は、立下がり時間誤差６０Ｄを有するパルスＥ１、正しい時間一致を有するか、又はタイミング誤差の無いパルスＥ２、立上がり時間誤差６０Ｃを有するパルスＥ３及びタイミング誤差６０Ｃ及び６０Ｄとして示される時間誤差の二重一致を有するパルスＥ４の計数又はタイミング誤差を示す。
【００６３】
以上の波形６９から、パルス計数当りの最大計数即ちタイミング誤差は、波形６９のパルスＥ４に示すように、パルス当り２つの半クロックサイクルの値、即ち５０％×２クロックパルス継続時間である。以上で考察した１００ＭＨｚクロックの例では、これは０．５×２×１０-8×秒＝１０ナノ秒であろう。
【００６４】
このような短い時間誤差は全く無視することができ、後に説明するように、このような誤差を無視することができる許容誤差範囲をプログラムすることは容易である。
【００６５】
図２Ｄに示すカウンタ１１Ｃ又は１２Ｃは、個別の事前設定出力２９Ｅを有するアップダウンカウンタであり、ゲート及び制御回路２９に供給するエンベロープ信号２０Ｄ又は２０Ｆによりゲートされ、パルスの立上がりはカウンタ２９Ａをゼロにリセットして加算計数を開始し、一方で、パルスの立下がりもカウンタ２９Ａをゼロにリセットして減算計数を開始するようにする。カウンタは、図１のＣＰＵ１８の各入力端子１Ａ及び２Ａへ高位のエンベロープ継続時間中に正の計数を、低位のエンベロープの継続時間中に負の計数を供給する。
【００６６】
ＣＰＵ１８は、その入力端子１及び２を通じて直接エンベロープ信号の供給も受け、エンベロープの詳細を直接読み出すＣＰＵ１８は、それ故に、エンベロープ信号の各個別高位及び低位継続時間、高位及び低位数、総低位、総高位及び未知の符号の総長、これらとともにエンベロープが表すように未知の符号化信号に関する各高位及び低位計数値並びに総計数値即ち総和を記録することができる。１００ＭＨｚクロックの例を考慮すると、±１計数の計数精度は、パルス当り±１０ｎ秒の時間単位であろうが、これは取るに足らない。
【００６７】
さらに、以上で説明した、符号化ＩＲ信号を含む符号化ＲＦ信号も高位及び低位の２つの定義状態に基づき、一方で、ＲＦ符号化信号はＡＭ又はＦＭ変調されることができ、図６Ｂのバーコード６５などの複数幅のバー及びインターバル又は時間の空きを特定するバーコードリーダに類似する３つ以上の状態を備え、バーコードに含まれる全データを読取る。本発明は、エンベロープの高位及び低位の計数値に基づいて、高位及び低位の計数、検出及び定義を提供するのみならず、低位、中位及び高位の３つの状態など、又は低位、中低位、中位、中高位及び高位を使用する５つの状態などの特定パルス幅に基づくパルス状態の検出も提供する。
【００６８】
さらに、カウンタ１１Ｃ又は１２Ｃ若しくはＣＰＵの１８Ａ計数回路を介した未知の符号化信号の計数とＣＰＵ入力へのエンベロープの直接供給を介した未知の符号化信号の計数との組合せは、エンベロープの各高位及び各低位の継続時間、各高位、各中位及び各低位状態の時間継続、各高位、各中位及び各低位状態の順序、高位状態、中位状態及び低位状態総数、総低位継続時間、総中位継続時間及び総高位継続時間、低位、中位及び高位総数、総計数の和、クロック計数及び時間における前記未知の符号のエンベロープの絶対総長及びエンベロープ極性並びにそれらの組合せなどの未知の符号化信号の利用に多くの組合せを可能にする。
【００６９】
未知の符号化信号に関する前記未知の符号化エンベロープの上記の計数値を計数の詳細の図１及び図３のメモリ１７への蓄積により記録する。蓄積値は、前記未知の符号化エンベロープ利用の参考になる。
【００７０】
図６Ｃは、図６Ｂの６７に示すエンベロープの原理的タイミングの詳細記録を示す。図示する時間の継続ｔ１、ｔ３、ｔ５及びｔ７は、エンベロープ高位の時間継続であり、一方で、ｔ２、ｔ４及びｔ６はエンベロープ低位の時間継続である。結合エンベロープ時間は、ｔ１乃至ｔ７の総和であり、総和＝ｔ１＋ｔ３＋ｔ５＋ｔ７−ｔ２−ｔ４−ｔ６である。図示する総エンベロープ高位は４であり、図示する総エンベロープ低位は３である。
【００７１】
図６Ｂの波形６７及び図６Ｃを参照すると、例えばＥ１及びＥ３をｔ１＝ｔ５のエンベロープの最も狭い高位パルスとして示し、それ故に、高位状態パルスとして検出又は定義することができ、Ｅ４の継続時間即ちｔ７を最長として示し、それ故に、低位状態パルスとして検出又は定義することができることが明らかになろう。Ｅ２即ちｔ３は、中位継続時間パルスであり、従って中位状態パルスと定義することができる。同じことが図６Ｃにｔ２、ｔ４及びｔ６として示すエンベロープの低位即ちインターバル時間に適合する。ｔ２及びｔ４は狭い時間として示し、エンベロープの最短低位として検出又は定義することができ、ｔ６を最長継続時間により示し、それ故に、最長低位と定義することができる。図６Ｂのバーコードエンベロープ波形６６に示すように、幾つかの異なるエンベロープ低位継続時間があり、その全てを短い中位、中位又は長い中位として検出及び定義することができる。この拡大データは、デジタル信号の高位及び低位の２つのバイナリ状態を超える複数状態レベルを定義する能力と共にエンベロープ信号の各詳細に関し、エンベロープ信号の記録を非常に信頼できるものにする。
【００７２】
時間の継続ｔ０は非活動状態である。それを図６Ｃに低位状態として示すが、高位状態でもありうる。ｔ０は、総和又は総符号継続時間に算入すべきではない。ｔｎは、１０ミリ秒又は１００ミリ秒などの事前選択又はプログラムする時間継続を超える最後の計数継続時間である。より長い低位又は高位状態の時間継続は、新規受信した未知の符号化信号の記録又は計数を終了させることとする。後に説明するように、ｔｎは、それ故に、総和、即ち総符号継続時間に算入することができるか、又は無視することができる固定の時間継続である。
【００７３】
未知の符号化信号の記録中に、関係項目及び記録に関連する又は記録に指標付けされたデータを記録することが必要である。これは、家屋又はアパートメントで使用するビデオインターフォン又はインターコムシステムと関連する全ての遠隔被制御機器に必要である。また、ドライバ回路１９Ｒ、１９ＲＦ、１９Ｄ及び１９Ｎの詳細を特定するために、種々の機器を正しく制御するプログラム信号を出力することが必要である。
【００７４】
それ故に、稼動する緊急及びその他の照明システムなどの機器の位置、空調器、台所及び庭園機器の操作、背景音楽（ＢＧＭ）のオンオフ並びにそのボリュームの切り替え及び／又はホームシアタ、ＤＶＤ又はＶＨＳレコーダ及びその他のＡ／Ｖシステム並びに同類の操作を含む機器の操作のための指標付けられた符号の記録を、システムメモリ１７Ｓに記録する必要がある。符号メモリ１７及びシステムメモリ１７Ｓを個別メモリ回路として示すが、フラッシュメモリなどの周知のメモリデバイス又はＣＰＵ１８又は１８Ａに含むフラッシュメモリに結合又は分割することができる。
【００７５】
本発明の未知の符号化信号を記録及び利用する図１及び図３の機器１及び１Ａは、ＲＦ遠隔制御デバイス１０の使用を提供するのと同じようにＩＲ遠隔制御デバイス１３の使用を提供する。この目的のために、復調器及び処理回路１３と共にＩＲパスフィルタ１３Ｆ、レンズ１３Ｌ及び光感応ダイオード１３Ｓを含む少なくとも１台のＩＲ受信機を、未知の符号化信号１及び１Ａを記録して利用する装置に組み込む。９４０ｎｍ帯の波長を有するフィルタは、広くＩＲ遠隔制御に使用され、フォトトランジスタ又はピンダイオード及び８５０ｎｍ乃至９８０ｎｍなどのより広い帯域をカバーするフィルタなどのＩＲセンサを提供するのは容易である。
【００７６】
受信ＩＲ信号を復調して処理する復調器１３Ｄは、前記ＲＦ復調器１１Ｄ又は１２Ｄに類似している。共通に使用する復調器回路１３ＤがＯＯＫタイプであることは、共通に使用するＩＲ遠隔制御デバイスはオンオフキーイングに基づいて動作するが、あらゆるその他の変調及び復調回路を使用することができるからである。
【００７７】
ＩＲ遠隔制御デバイス１３が生成する未知の符号化信号を復調、フィルタリング、計数及び蓄積するステップは、受信ＲＦ信号について既述するステップと同様である。処理、計数及び蓄積する同じステップは、リーダ１４Ｒが処理する磁気キーなどのアクセスキーの未知の符号又は入力１５に直接供給する未知の直列又は並列符号信号にも適合し、これらの符号又は信号の全てを受信ＲＦ又はＩＲ信号について既述したのと同じように処理し、そのエンベロープを成形、フィルタリング、計数及び蓄積する。
【００７８】
磁気カード又はバーコードカードのようなデバイスを含む遠隔制御デバイスは、その対応するリーダにより各々完全な全符号を送信又は生成するように構成される。一部のタイプの遠隔制御デバイスは、直列符号化信号の送信を反復するように構成され、他のデバイスは、キーの各タッチ当りに一度、完全な直列符号を送信する。しかしながら、全ての遠隔制御デバイスは完全な符号化信号を送信し、信号は共通にパイロットビット、同期ビット及び／又は開始ビットで始まり、終了ビットで終わる。
【００７９】
遠隔制御デバイス及び／又は磁気、近接及びその他のキー又はカードのために、共通に使用する受信機、リーダ及びプロセッサが事前に構成され、事前構成符号、パルスタイミング、パルス継続時間、正確な開始ビット、アドレスデータ、命令データ及びその他の専用事前構成プログラムを正確に整合する入力符号化信号のみを読取り、受容し、専用事前構成及び事前プログラムに整合するもののみが機器及び／又はシステムにアクセスすることができることを保証する。
【００８０】
図６Ｂは、周知のバーコード規格のバーコード６５を示し、バーコード６５では、バーの幅、バー間の時間の空き、バーの数及び空きの幅が、事前構成アクセスのプログラムデータである。バー６５の２つの図示された左側の狭いバー６５Ａ及び６５Ｂは、開始バー即ち６６に示す開始ビットであり、２つの狭いバー６５Ｃ及び６５Ｄは終了バー即ち６６に示す終了ビットである。従って、バーコードリーダは、開始ビット及び終了ビットを正しく読取らない限りバーコードを処理しないこととする。
【００８１】
対照的に、本発明は任意のこのような遠隔制御デバイスの使用を提供し、例えば老人はブレスレット、お守り、ペンダント又はボタンなどの緊急遠隔制御デバイスを使用することができ、緊急時にＲＦ又はＩＲ信号を送信し、一方、その他の人は機械コード、磁気コード、バーコード又はその他の光学的コードを伴うカード、タグ又はストリップを使用することができる。遠隔制御デバイスは、デバイス又はそのリーダが生成するパイロット、同期、開始ビット及び終了ビットなどのパルス項目を含む全くの未知の符号化信号の記録による磁気キー、バーコード、近接キー、ＲＦＩＤ非接触カード及びその他のデバイスなどのデバイスをさらに含むことができ、パルス項目の全ては前記メモリに蓄積された未知の記録信号内の先頭パルス及び終了パルスになる。
【００８２】
それ故に、本発明の計数処理のために、計数処理を開始するパイロットビット、同期ビット又は開始ビットの必要はなく、カウンタに供給するエンベロープ信号の立上がり又は立下がりをカウンタのゲート入力に供給すると、カウンタはその計数を開始する。計数の終了及び／又は受信信号計数処理の完了のために、高位又は低位状態が「ｎ」ミリ秒より長く留まると、カウンタは、自体をリセットし、計数を停止するようにプログラムされる。
【００８３】
図２Ｄに示すカウンタ１１Ｃ又は１２Ｃは、事前設定時間の継続計数値を選択する、又は事前設定クロックの計数値を選択する事前設定の設定セレクタ２９Ｆを組込み、例えば１００ＭＨｚクロックの１０，０００クロックパルス計数値の代表的時間の継続は、０．１ミリ秒に等しい。例であるカウンタ１１Ｃ又は１２Ｃは、事前設定数に到達すると計数を停止し、事前設定出力２９Ｅの状態を低位から高位に変更するように設計されるが、高位から低位へでもありうる。事前設定出力をゲート及び制御回路２９に供給し、リセット線を通じてカウンタ２９Ａをゼロにリセットし、オンオフ線をオフ状態に切り替えて計数を停止する。これにより、カウンタ１１Ｃ又は１２Ｃをその「計数準備済」状態にリセットし、そのゲート入力２９Ｂに供給する信号の次に供給する立上がり又は立下がり時間を待つ。信号を供給すると、ゲートはそのオンオフ命令線をオン状態に、受信信号の立上がり又は立下がり状態に従いアップダウン命令線を切り替える。この計数処理装置は、誤差のない未知の符号化信号の反復計数を提供する。
【００８４】
カウンタ１１Ｃ、１２Ｃ、１３Ｃ、１４Ｃ又は１５Ｃのリセットは、システムＣＰＵ１８又は１８Ａをその受信状態にリセットし、新規送信した未知の符号化信号の受信を可能にすることも備える。例えば未知の符号信号の可能最低速度が１ｋビット／秒であり、エンベロープ信号の各低位及び／又は高位状態の幅が実際には１ミリ秒の継続時間を超えることがありえない場合、「ｎ」継続時間を構成することは容易であり、それ故に、例えば１０ミリ秒又は１００ミリ秒より長い「ｎ」継続時間は、誤差の無い送信終了として、又は送信でない状態を特定するように安全に構成されることができ、それ故に、自体をリセットし、システムを次の新規受信に対し準備済とするその「受信準備済」状態にＣＰＵをリセットするカウンタを提供する。
【００８５】
ゲート入力２９Ｂは、供給する信号の立上がり及び立下がり時間に敏感であるので、それ故に、ゲート入力２９Ｂは、ランダムノイズ、特に高周波ノイズ、さらに図２Ｃに示すノイズのある供給信号を生成する遠隔制御デバイス１０の遠距離からの使用に起因しうるような弱いＲＦ受信のため、ゲート入力２９Ｂに到達しうるノイズのある未知の符号化信号に敏感である。それ故に、カウンタ１１Ｃ、１２Ｃ及びカウンタ１３Ｃ、１４Ｃ並びに１５Ｃ及び／又は図１のＣＰＵ１８及び図３の１８Ａに供給する信号を、図２Ｃに示す信号２０Ｆなどの完全な、端部の鋭いエンベロープ信号を出力するために、図２Ｃに示す２７ＢなどのＬＰＦ回路又はその他のタイプの周知のフィルタを通じて処理、フィルタリングし、説明したように増幅、クリップ及び／又はクランプする必要がある。
【００８６】
近接キー又はＲＦＩＤデバイスを含む非接触キーのアクセスリーダを使用するシステムなど一部の遠隔制御システムは、図２Ａに示すように、２台の個別ドライバを介して符号化信号のデータ低位及びデータ高位を伝達する通信回線を使用する。反転極性パルス２０及び２０Ａは、高位データパルス及び低位データパルスである。低位２０Ａ及び高位２０データパルス幅が同じであり、パルス間のインターバルが同じであっても、本発明にかかるこのような伝達データ信号を使用し、未知の符号化信号を記録及び利用するには、データ低位及びデータ高位を単独入力に結合しなければならない。図５Ａに、データ高位出力５０及びデータ低位出力５１の詳細を示し、マイクロ秒のパルス幅及びミリ秒のパルスインターバルは、低位及び高位データパルスに対し同一である。５２に示す結合データの読み取りは、２つの個別出力によってのみ可能である。これは、低位データパルスと高位データパルスとの間に相違が無いであろうから、その現在の形式における単独線を介してデータ低位及びデータ高位の直列符号の結合を妨げる。
【００８７】
高位及び低位状態に対し同一パルスを有するこのデータ信号及び類似するデータ信号の紛らわしさを克服するために、低位データ線を図２Ａに示す周知の単独安定器２３の入力に供給し、単独安定器２３は各受信パルスに対し事前選択幅を有する単独パルスを生成し、例えば低位データパルス幅を広げ、より広い低位データパルス２０Ｃを出力する。低位及び高位データに対し２つの異なるパルス幅を有することは、２つの個別線を１つに結合することを可能にする。図２Ａに示すように、高位データをＯＲゲート２４の入力２４Ｂに直接供給し、より広いデータパルスを有する低位データ線をＯＲゲート２４の入力２４Ａに供給する。これにより、２つのデータ線を順次ゲートし、２つのデータ線をＯＲゲートの出力２５から出力する１つの直列符号に結合する。
【００８８】
直列符号２０Ｄは反転信号であり、全ての受信した未知の符号化信号に対し統一処理をもたらし、この目的のために図２Ａに示すＯＲゲート２４は反転ＯＲゲートである。しかしながら、未知の符号化信号のこの反転は必要でなく、非反転ＯＲゲートを代わりに使用することができる。２つの個別入力線をＣＰＵ１８又は１８Ａに直接供給し、直列信号２０Ｄを出力するようにＣＰＵをプログラムする場合、図２Ａに示す回路は必要でなく、この場合単独安定器２３及び反転ＯＲゲート２４は不要、不使用である。
【００８９】
それ故に、未知の並列又は直列符号化出力を、カウンタ１４Ｃ若しくは１５Ｃ及び／又はＣＰＵ１８若しくは１８Ａに供給することができ、一方、図２Ａ又は図２Ｂに示すような受信した未知の符号化信号の蓄積を、ＲＦ又はＩＲ遠隔制御デバイスが生成するデータについて説明したのと同じように処理する。
【００９０】
変調又は符号化された未知の符号信号の別の例は、図５Ｃに示す周知のＦＭ−０データ信号である。ＦＭ−０変調又は符号化された信号は、クロック５７と同期し、同期データ信号５８により時間を合わせられ、波形５９を生成し、アクセス制御及びセキュリティシステムネットワークにおいて使用され、アクセス制御リーダ及びアラームデバイスに接続する。従って、ＦＭ−０変調された未知の符号化信号を復調又は復号する復調器又はデコーダを、図１及び図３の装置１又は１Ａに各々含むことができる。図示しないＦＭ−０のデコーダは、低価格の単独パッケージＩＣにおいて広く入手可能である。ＦＭ−０復調器又はデコーダのプロセッサ／デコーダ及び成形回路１４Ｄ又は１５Ｄの包含により、図１及び図３の装置１又は１Ａをより柔軟にして、そのアラームシステムを装備又は装備解除するテナントによって使用されるビデオインターフォンシステムへの建物及び家庭の多様なアクセスデバイスを接続し、住人がその家に入ると自動的に、又は図８及び図１０に各々示すビデオインターフォンモニタの又はショッピング端末のキー２５５又はタッチスクリーン２４４Ａを通じて手動で照明を点灯する。
【００９１】
幾つかのタイプのリーダは、並列データを生成して出力し、並列データは現状では装置１又は１Ａによって処理されることができず、この目的のために、図２Ｂに示すような周知の並列から直列符号への変換器２６を図１及び図３の処理回路１４Ｄ又は１５Ｄのために含むことが可能である。並列から直列への変換器は、低価格の単独チップＩＣにおいて広く入手可能であり、変換器の入力端子２６Ａ、２６Ｂ、２６Ｃ及び２６Ｄを通じる並列高位及び低位データの入力及び変換器の出力端子２７を通じる直列符号２０Ｄの出力を提供する。これにより、本発明の装置１又は１Ａは、遠隔制御デバイスの未知の符号化信号の記録及び利用にさらにより柔軟な装置になる。
【００９２】
ＲＦ及びＩＲ遠隔制御デバイスは、数字キーなどの図１及び図３に示す複数のタッチキー１１Ｋ又は１３Ｋを備え、例えばユーザが遠隔制御デバイス１１又は１３のタッチキー１１Ｋ又は１３Ｋを通じてプログラム化パスワードをキー入力することにより、駐車スペースの柵などの機器を操作することを可能にすることが好ましい。未知の符号化信号の複数のキー入力に対する制限は、それ故に、キー入力間の時間の空き即ちインターバルであろうが、インターバルは前記「ｎ」時間より長くなければならない。「ｎ」の時間の継続は、１０ミリ秒と１００ミリ秒との間などほんの一瞬であり、このような短い時間の継続は、実際には前記遠隔制御デバイス１１又は１３の前記キー１１Ｋ又は１３Ｋによるパスワードの複数キー入力を妨げない。
【００９３】
例えば３−１−４−２などの連続するパスワードのキー入力は、メモリ１７に個々に順次記録された連続する３−１−４−２の４つの個別エンベロープの計数値とすることができ、ＣＰＵ１８又は１８Ａをプログラムし、４つの個別エンベロープ計数値を個々にキー入力順に記録し、記録順に信号を再生し、図８に示すショッピング端末２００の単独操作キー２５５又はタッチスクリーン２４４Ａを通じる前記機器及び／又は前記システムの稼動又は稼動停止を可能にする。
【００９４】
その他のプログラムを考案し、立上がり及び立下がり時間による計数誤差の許容など記録及び再生処理における事前構成誤差の許容誤差を提供することができ、これは取るに足りない誤差がシステムによる機器遠隔制御を混乱させることを防止する。
【００９５】
特許文献４、特許文献５及び特許文献６に詳細に記載する周知のビデオインターフォンシステム及び２００４年６月８日出願の特許文献２に開示するショッピング端末は、ＬＣＤ又はその他のディスプレイデバイス及び周知のタッチスクリーンなどの制御キーを含む制御キーを使用し、ユーザはモニタスクリーンに表示する図示ボタン又はアイコンにタッチし、選択機器を操作する。上記の特許は、ビデオインターフォン及びショッピング端末の操作、並びに機器の操作に使用し、参照により本明細書に組み込まれたＩＲ又はＲＦ受信機及び送信機及びその他のドライバを詳細に開示する。
【００９６】
図７に図１の直列又は並列データ入力１５などデータ処理のための符号設定回路１３４及びデータ信号入力１４７を含むビデオインターフォン１４０を示す。ビデオインターフォンは、機能ドライバ１４２も組込み、図１のドライバ１９Ｄ又はドライバ１９Ｎに類似の照明オンオフなどの電気機器を操作する。
【００９７】
図８にショッピング回路１５０及びビデオインターフォン回路１４５を結合するショッピング端末１５０Ａを示す。ショッピング回路は、ＣＰＵ１８又は１８Ａ及び結合メモリ１７及び１７Ｓに類似のＣＰＵ１５２及びメモリ１５３を含む。ショッピング端末１５０Ａは、ディスプレイモニタ１４４に取付けるタッチスクリーン１４４Ａ及び操作キー１５５及びタッチスクリーンインタフェース１５４をさらに結合し、ビデオインターフォン１４５と結合するショッピング端末１５０Ａのタッチスクリーンを処理及び操作する。
【００９８】
ビデオインターフォン回路１４５は、無線即ちＲＦ受信機１１Ｒ又は１２Ｒに類似しており、図１及び図３のＲＦドライバ１９ＲＦを含む無線即ちＲＦ  ＲＸ／ＴＸ（受信機／送信機）１２１を含む。図８のＩＲ  ＲＸ／ＴＸ１２３は、図１のＩＲ受信機１３Ｓ及びＩＲドライバ１９Ｒにも類似している。ＲＦ  ＲＸ／ＴＸ回路１２１及びＩＲ  ＲＸ／ＴＸ回路１２３の詳細は、米国特許出願第１０／８６４／３１１号に完全に記載されており、本出願を参照により本明細書に組込まれるが、ＲＦ  ＲＸ／ＴＸ回路１２１及びＩＲ  ＲＸ／ＴＸ回路１２３の詳細は、この出願であるＲＦ受信機１１Ｒ、ＲＦドライバ１９ＲＦ、ＩＲ受信機１３Ｓ及びＩＲドライバ１９Ｒの詳細な説明と本質的に同一である。
【００９９】
ビデオインターフォン１００又はショッピング端末２００に組込まれる単独ＲＦドライバ１９ＲＦは、ＲＦ信号により遠隔に操作する機器のいずれにも無線遠隔制御命令を伝達することができる。低電力ＲＦ信号を全部屋に届けることができない非常に大きな家庭又はアパートメントでは、家屋内の種々の場所又は各々の機器の近くに設置する幾つかのＲＦドライバを、ビデオインターフォンシステムに接続することが可能である。
【０１００】
図１のＣＰＵ１８、図３のＣＰＵ１８Ａ及び図８のＣＰＵ１５２は、インテルによる周知のペンティアム（登録商標）及びその他のマイクロプロセッサなどＰＣに使用する周知のマイクロプロセッサとすることができ、又はＤＳＰデバイスとしても知られた周知のデジタル信号プロセッサとすることができ、又は周知のカスタムプログラムゲートアレイ又は類似のカスタムプログラムデバイスとすることができる。以下で説明するように、低電力消費で、フラッシュメモリなどのメモリ１７及び１７Ｓを含む図３の単独パッケージＣＰＵ１８Ａを使用することが好ましい。このような単独パッケージＣＰＵを図９Ａ、９Ｂ、９Ｃ及び９Ｄに示す本発明の中継局装置に組込むことができ、この装置は家庭又はアパートメント内を通じた無線制御命令の伝達を提供する。
【０１０１】
ＩＲドライバ１９Ｒは、周知の図示しないドライバ増幅器、及びドライバ増幅器により駆動するＩＲ  ＬＥＤであるＩＲ生成器／送信機１９ｒを含む。ＩＲ送信機又はＬＥＤ  １９ｒは、視覚的にＩＲ遠隔被制御機器に向いていなければならない。このため家屋各部屋の壁又は天井に広角ＬＥＤ１９ｒを有する遠隔ＩＲドライバ１９Ｒ又は特定の遠隔被制御機器に向けた特定の視覚角度を有するＩＲドライバ１９を設置することが必要であろう。それ故に、ＲＦ又はＩＲドライバは、図１及び図３のＣＰＵ１８又は１８Ａの出力端子１乃至ｎに接続する回線などの通信回線（単数又は複数）を介してビデオインターフォンシステムに接続することができ、蓄積されて指標付けられた符号に基づいて、ＣＰＵにより制御命令をＲＦ又はＩＲドライバに供給され、各々の機器への無線、ＲＦ又はＩＲ制御符号を生成する。
【０１０２】
ＲＦ受信機１１Ｒに類似のＲＦドライバ１９ＲＦは、マイクロアンペアの最小限度の電流を消費する低価格の単独ＩＣパッケージにおいて容易に入手可能であり、特にＲＦドライバ１９ＲＦは低電力ＲＦ制御命令の生成、送信に必要な短い時間の間動作するので、小規模バッテリにより長期間動作することができる。実際に、単独ＩＣにパッケージ化する多くのＲＦトランシーバ（受信機及び送信機）は、低価格で容易に入手可能である。それ故に、メモリを含む単独パッケージ低電流消費ＣＰＵ１８Ｂと共にこのような単独パッケージトランシーバＩＣの使用は、トランシーバを図９Ａに示すＲＦ中継局１ＲＦに変形し、ビデオインターフォンモニタ１００又はショッピング端末２００から受信する無線制御命令を家屋内の種々の位置に中継する。このようなＲＦ中継局は、低価格で配線なく家屋における広いサービス範囲を提供するので、多くの利点をもたらす。
【０１０３】
同様に図９Ｂに示すＩＲ中継局１１Ｒは、ビデオインターフォンモニタ１００又はショッピング端末２００から直接視覚経路を通じるＩＲ命令の受信を提供し、別の視覚経路又は角度を通じて家庭又はアパートメントの所与の機器に制御命令を中継する。
【０１０４】
図９Ｃに示すＩＲ中継局１ＲＦ−ＩＲは、ビデオインターフォン１００又はショッピング端末２００からＲＦ制御命令を受信し、ＣＰＵ１８Ｂを介して指標付けられた受信ＲＦ命令をＩＲ符号化命令に変換し、ＬＥＤ１９ｒを介してＩＲ遠隔制御信号を生成する。図９Ｃに３つのＬＥＤ１９ｒを示し、各々がそのＩＲ信号を種々の方向に送信する。ドライバ１９Ｒは、それ故に、幾つかのＬＥＤ１９ｒを備え、全周囲エリアをカバーすることができるか、又は１つ，２つ若しくは所与の数のＬＥＤ１９ｒを組込み、特定エリア又は位置をカバーすることができる、及び／又は壁、柱、天井等に搭載することができるか、若しくはこのようなＬＥＤ１９ｒは柔軟な方向調整を備えられ、１つ又は複数の使用するＬＥＤの方向を調整することができる。
【０１０５】
これにより、本発明のビデオインターフォン又はショッピング端末装置を、遠隔ドライバに配線する必要はないが、図１及び図３のドライバ１９ＲＦ並びに図８に示すドライバ２２１などビデオインターフォン又はショッピング端末の単独無線ＲＦドライバを通じて、及びＩＲドライバ１９Ｒ又は２２４により、本発明のビデオインターフォン又はショッピング端末装置を操作することができ、図９Ｄに示す中継局１ＩＲ−ＲＦにＩＲ制御信号を供給し、ＩＲ制御信号を受信し、ＲＦ制御信号を再生する。
【０１０６】
以上の説明から、図７及び図８に示すビデオインターフォンモニタ１００及びショッピング端末２００を使用して、無線又は有線遠隔制御命令を伝達し、家庭、アパートメント及び建物内の機器を操作することができることが明らかになる。
【０１０７】
遠隔機器制御を簡単にする及び／又は個々の家庭所有者の嗜好に向けてプログラムすることができる。例えば、駐車スペースの柵の遠隔制御デバイスは上記で言及したパスワードのキー入力を要求するが、家庭所有者は、単独のボタンにより駐車スペースの柵を開く命令を作成することができる。
【０１０８】
家庭又はアパートメントの機器操作に最も簡便な方法は、オン−オフアイコン、冷−熱アイコン、ファン強ファン弱アイコン及び温度上−下調整アイコンを含む家庭内部の個々の部屋又は領域を表に示すサブメニューと共に見出し空調下にタッチスクリーンメニューを表示するなど図１０に示すタッチスクリーン１４４Ａなど、各機器又は機器グループに対し、タッチスクリーンディスプレイを提供することである。
【０１０９】
モニタスクリーンに表示する部屋又は領域と共にＡ／Ｖ又はカーテン若しくは照明制御の類似メニューは、オーディオ又はビデオチャネル選択、音量上‐下、照明オン−オフ及び照明調光明−暗のアイコン、及び／又は単独事前設定アイコンを介して呼出される照明及び空調の全てを含む所与の領域又は部屋のＢＧＭ（背景音楽）のプログラム事前設定のアイコンなどを含む。朝、日中、夕方及び夜間のための幾つかの事前設定呼出しアイコンを提供することが同様に可能であり、本発明の家庭所有者のビデオインターフォン又はショッピング端末装置のモニタスクリーンに表示する事前設定アイコンの単独タッチを介して、家庭所有者が、全てのその機器、照明、空調を設定し、アラームなどの稼動することを可能にする。
【０１１０】
新規受信した遠隔制御信号と記録及び指標付けられた符号とを比較するために、ビデオインターフォン１００のＣＰＵ１１８又はショッピング端末２００のＣＰＵ２５２をプログラミングすることによって、オリジナルの遠隔制御デバイス１１又は１３を使用してビデオインターフォン又はショッピング端末を通じて機器を操作することが可能である。これは、ユーザが、例えば空調ユニットのオリジナルのＩＲ遠隔制御デバイスを使用することによって、ビデオインターフォン１００を通じて主寝室から居間の空調を停止することを可能にする。
【０１１１】
このようなプログラミングは、前記遠隔制御デバイス１１又は１３が生成する反復新規送信のエンベロープの受信、復号及び計数と比較する前記未知の符号化エンベロープに関する計数の詳細の指標付けられた記録を提供し、選択機器を遠隔制御する。ひとたび新規に受信、復号、計数するエンベロープを、前記未知の符号化エンベロープの蓄積値と比較し、新規計数値と蓄積値との両者が整合されると、図１のＣＰＵ１８及び図３の１８Ａは、ドライバ回路１９Ｒ、１９ＲＦ、１９Ｄ又は１９Ｎを通じてメモリ１７Ｓにおいて指標付けられ、記録されるような対応機器に対する遠隔制御命令を再生することができる。
【０１１２】
同様に、例えば近接キーを使用して、ドライバ回路１９Ｄ又は１９Ｎを稼動することが可能であり、ドライバ回路１９Ｄ又は１９Ｎは、オープンコレクタなどの継電器又はその他のハードワイヤドライバ回路を含み、ドアを開ける、又はモータ付きカーテンを開閉する、又は駐車スペースの柵を上げる、及び／又はプロトコルとして既知の直列又は並列符号を供給するバッファ回路を稼動する、ロビーで選択するエレベータ又は任意の選択階へのアクセスを呼出し、準備する、及び／又はアラームシステム及び／又は緊急システムを装備解除する、及び／又は建物の玄関ロビーを照明することができる。
【０１１３】
ビデオインターフォン１００及びショッピング端末２００への未知の符号化遠隔制御信号の記録処理を、簡単及び容易にすることができる。記録処理は、各々の及び遠隔制御命令ごとの反復調査などによって記録を検証し、所与の遠隔制御デバイス１１及び家庭、アパートメント又は建物の部屋又は領域のいずれかの遠隔制御デバイスが操作する機器にアイコンを割当てるステップを結合することができる。記録を遠隔制御デバイス１１又は１３によって処理し、ビデオインターフォン１００及びショッピング端末２００に対する操作を行う。
【０１１４】
実質的利点は、近い範囲でＲＦ遠隔制御デバイス１１を操作する又は近距離からビデオインターフォン１００及びショッピング端末２００に向けてＩＲ遠隔制御デバイス１３に視覚的に指示し、低ノイズ高信号レベルをＲＦ  １１Ｒ又はＩＲ  １３Ｓ受信機が受信することを確実できることである。
【０１１５】
図１０に示すタッチスクリーン２４４Ａを種々のキーによりプログラムし、ホームシアタ、Ａ／Ｖ機器、ＢＧＭ、空調、照明、アラーム、台所及び洗濯機器、庭園機器及びその他の電気機器などの多様な機器を操作する。基本的操作キーを提供することは好ましく、実用的であり、多すぎるタッチアイコン又は選択キー２５５は、ホームオートメーションの制御を不必要に複雑化するが、プログラムはユーザの嗜好及び選択に対し任意の数のキー又はアイコンを備えることができる。
【０１１６】
機器のオン及びオフへの切り替え、所与のレベルへの照明低下、空調器の温度及びファンの制御、Ａ／Ｖ又はホームシアタのチャネル選択及び音量の設定のためにキー又はタッチキー（アイコン）を提供することが必要であり、実用的である。オーディオ及び／又はビデオレコーダのＦ．Ｆ、巻戻し、記録、再生を制御することもまた実用的である。同様に、キーの単独タッチで２台以上の機器を含む全機能の事前設定呼出しをプログラムすることは有利である。別のプログラミングは、例えば建物にアクセスするたびにエレベータ及び階を選択する処理を経ることからユーザを開放する事前選択階へのエレベータの呼出し、又は、家庭の主ドアが開くときの事前選択照明の点灯など機器操作モードの自動呼出しである。
【０１１７】
家庭の各機器に対する全ての必要なキー機能の記録を完了すると、ドライバ１９Ｒ、１９ＲＦ、１９Ｄ及び１９Ｎのいずれかを通じてＣＰＵから全プログラムを送信する無線又は有線接続を使用して、１ＲＦ、１ＩＲ，１ＲＦ−ＩＲ及び１ＩＲ−ＲＦ及びドライバなどの中継局のいずれか又は全てに全プログラム又はプログラムの一部をロードすることが可能である。同様に、所与の家庭又はアパートメントに設置する複数のビデオインターフォン１００又はショッピング端末２００にプログラム又はその一部をロードすることが可能である。
【０１１８】
遠隔制御キー機能を記録すると、ビデオインターフォン又はショッピング端末と中継局との間で記録した全ての未知の符号を再送する必要はない。指標符号の送信で十分であるのは、中継局が受信した指標符号に基づいて蓄積命令に従い、遠隔制御信号を機器に送信しているからである。
【０１１９】
無線又は有線の遠隔制御信号を、記録した未知の遠隔制御符号のエンベロープに基づいてビデオインターフォン１００又はショッピング端末２００装置によって供給し、記録した未知の遠隔制御符号のエンベロープに全て指標を付け、図８のキー１５５又はタッチスクリーン１４４Ａの操作を介して取出すので、ビデオインターフォン１００又はショッピング端末２００の使用は、家庭、アパートメント又は建物内の機器の遠隔操作を能率的に提供することができることが明らかになる。
【０１２０】
さらに、未知の遠隔制御符号をビデオインターフォン１００、ショッピング端末２００及び中継局１ＲＦ、１１Ｒ，１ＲＦ−ＩＲ及び１ＩＲ−ＲＦのメモリに記録、蓄積、指標付けするので、機器の遠隔制御を家庭、アパートメント又は建物内のどこでも低価格で能率的に伝達することができる。
【０１２１】
勿論、上記の開示は本発明の好ましい実施形態のみに関係し、本発明は、本明細書において開示の目的のために選択された本発明の例に関する全ての変更及び修正を包含することが意図され、修正は本発明の精神及び範囲から逸脱しないことを理解すべきである。
【図１】
2010502112.tif 000003
【図２Ａ】
2010502112.tif 000004
【図２Ｂ】
2010502112.tif 000005
【図２Ｃ】
2010502112.tif 000006
【図２Ｄ】
2010502112.tif 000007
【図３】
2010502112.tif 000008
【図４Ａ】
2010502112.tif 000009
【図４Ｂ】
2010502112.tif 000010
【図４Ｃ】
2010502112.tif 000011
【図５Ａ】
2010502112.tif 000012
【図５Ｂ】
2010502112.tif 000013
【図５Ｃ】
2010502112.tif 000014
【図６Ａ】
2010502112.tif 000015
【図６Ｂ】
2010502112.tif 000016
【図６Ｃ】
2010502112.tif 000017
【図７】
2010502112.tif 000018
【図８】
2010502112.tif 000019
【図９Ａ】
2010502112.tif 000020
【図９Ｂ】
2010502112.tif 000021
【図９Ｃ】
2010502112.tif 000022
【図９Ｄ】
2010502112.tif 000023
【図１０】
2010502112.tif 000024
【国際調査報告】
2010502112.tif 000025